(57)【要約】【課題】小型化を可能とする。【解決手段】第１から第６アンテナ端子と、高周波回路側の複数の端子と、の間で信号の送受信を行う高周波信号送受信回路であって、第１から第６アンテナ端子に夫々接続される第１から第６回路を含み、第１から第６回路の内の１つの回路は、時分割多重通信の信号の送受信だけを行う。【選択図】図１
2019140670.tif 000002
【特許請求の範囲】
【請求項１】
第１から第６アンテナ端子と、高周波回路に接続された複数の端子と、の間で信号の送受信を行う高周波信号送受信回路であって、
前記第１から第６アンテナ端子に夫々接続される第１から第６回路を含み、
前記第１から第６回路の内の１つの回路は、時分割多重通信の信号の送受信だけを行う、
高周波信号送受信回路。
【請求項２】
前記第１から第６回路の各々は、前記第１から第６アンテナ端子に送信する信号を増幅する１つ若しくは複数のパワーアンプ、又は、前記第１から第６アンテナ端子から受信する信号を増幅する１つ若しくは複数のローノイズアンプを含む、
請求項１に記載の高周波信号送受信回路。
【発明の詳細な説明】
【技術分野】
【０００１】
本発明は、高周波信号送受信回路に関する。
【背景技術】
【０００２】
携帯電話装置、スマートフォン等の移動体通信装置において、アンテナとＲＦＩＣ（Radio  Frequency  Integrated  Circuit：高周波集積回路）との間に、フロントエンド回路が設けられている。
【０００３】
下記の特許文献１には、無線周波数フロントエンド回路が記載されている。
【先行技術文献】
【特許文献】
【０００４】
【特許文献１】米国特許出願公開第２０１７／０２５１４７４号明細書
【発明の概要】
【発明が解決しようとする課題】
【０００５】
現在、第３世代移動通信システム（例えば、Ｗ−ＣＤＭＡ、ＵＭＴＳ、ＣＤＭＡ２０００  １ｘ）及び第４世代移動通信システム（例えば、ＬＴＥ（Long  Term  Evolution）、ＬＴＥ−Ａｄｖａｎｃｅｄ）が、運用されている。
【０００６】
２０１７年１２月の３ＧＰＰ  ＴＳＧ  ＲＡＮ  Ｐｌｅｎａｒｙ（Third  Generation  Partnership  Project,  Technical  Specification  Group,  Radio  Access  Network  Plenary）会合において、５Ｇ  ＮＲ（New  Radio）標準仕様の初版策定が完了した。これを受けて、５Ｇ  ＮＲ（以降、「５ＧＮＲ」と表記する場合がある）に準拠した移動体通信装置が開発されるものと考えられる。
【０００７】
そこで、アンテナと５ＧＮＲのＲＦＩＣとの間に設けられる、フロントエンド回路が求められている。フロントエンド回路は、既存の通信システムと共存することが前提とされる。つまり、スマートフォンで例示される移動体通信装置に複数の通信システムを搭載する必要があるので、フロントエンド回路は、小型化されることが要請される。
【０００８】
本発明は、上記に鑑みてなされたものであって、小型化を可能とすることを目的とする。
【課題を解決するための手段】
【０００９】
本発明の一側面の高周波信号送受信回路は、第１から第６アンテナ端子と、高周波回路に接続された複数の端子と、の間で信号の送受信を行う高周波信号送受信回路であって、前記第１から第６アンテナ端子に夫々接続される第１から第６回路を含み、前記第１から第６回路の内の１つの回路は、時分割多重通信の信号の送受信だけを行う。
【発明の効果】
【００１０】
本発明によれば、小型化が可能となる。
【図面の簡単な説明】
【００１１】
【図１】第１の実施の形態の高周波信号送受信回路を用いた回路を示す図である。
【図２】第１の実施の形態の高周波信号送受信回路の構成を示す図である。
【図３】第１の実施の形態の高周波信号送受信回路の第１回路の構成を示す図である。
【図４】第１の実施の形態の高周波信号送受信回路の第２回路の構成を示す図である。
【図５】第１の実施の形態の高周波信号送受信回路の第３回路の構成を示す図である。
【図６】第１の実施の形態の高周波信号送受信回路の第４回路の構成を示す図である。
【図７】第１の実施の形態の高周波信号送受信回路の第５回路の構成を示す図である。
【図８】第１の実施の形態の高周波信号送受信回路の第６回路の構成を示す図である。
【図９】第１の実施の形態の第１変形例の高周波信号送受信回路の第４回路の構成を示す図である。
【図１０】第１の実施の形態の第１変形例の高周波信号送受信回路の第５回路の構成を示す図である。
【図１１】第１の実施の形態の第２変形例の高周波信号送受信回路の第４回路の構成を示す図である。
【図１２】第１の実施の形態の第３変形例の高周波信号送受信回路の第４回路の構成を示す図である。
【図１３】第１の実施の形態の第４変形例の高周波信号送受信回路の第４回路の構成を示す図である。
【図１４】第２の実施の形態の高周波信号送受信回路の構成を示す図である。
【図１５】第２の実施の形態の高周波信号送受信回路の第３回路の構成を示す図である。
【図１６】第２の実施の形態の高周波信号送受信回路の第４回路の構成を示す図である。
【発明を実施するための形態】
【００１２】
以下に、本発明の高周波信号送受信回路の実施の形態を図面に基づいて詳細に説明する。なお、この実施の形態により本発明が限定されるものではない。各実施の形態は例示であり、異なる実施の形態で示した構成の部分的な置換又は組み合わせが可能であることは言うまでもない。
【００１３】
（第１の実施の形態）
図１は、第１の実施の形態の高周波信号送受信回路を用いた回路を示す図である。高周波信号送受信回路１は、携帯電話装置、スマートフォンで例示される移動体通信装置において、第１アンテナ１１から第６アンテナ１６と、高周波集積回路（ＲＦＩＣ）１０１から１０４と、の間に設けられるフロントエンド回路である。以後、高周波集積回路１０１から１０４をＲＦＩＣ１０１から１０４と表記する。
【００１４】
ＲＦＩＣ１０１は、ＬＴＥ（Long  Term  Evolution）の高周波信号を送受信する。ＲＦＩＣ１０２は、５ＧＮＲの高周波信号を送受信する。ＲＦＩＣ１０３は、ＷｉＦｉ（ＩＥＥＥ（The  Institute  of  Electrical  and  Electronics  Engineers,  Inc.）８０２．１１）の高周波信号を送受信する。ＲＦＩＣ１０４は、ＧＰＳ（Global  Positioning  System：全地球測位システム）の高周波信号を送受信する。なお、ＲＦＩＣ１０１から１０４までは、１個の高周波集積回路としても良い。ＲＦＩＣ１０１から１０４までが、本開示の「高周波回路」に対応する。
【００１５】
図２は、第１の実施の形態の高周波信号送受信回路の構成を示す図である。高周波信号送受信回路１は、ＲＦＩＣ１０１から１０４とは別の集積回路（ＩＣ）上に形成され、この集積回路（ＩＣ）がプリント基板に搭載されることで構成可能である。プリント基板には、第１アンテナ端子１１ａから第６アンテナ端子１６ａが配置されても良い。また、プリント基板には、第１アンテナ１１から第６アンテナ１６が搭載されても良い。また、プリント基板には、ＲＦＩＣ１０１から１０４が搭載されても良い。
【００１６】
高周波信号送受信回路１は、第１アンテナ端子１１ａと、ＲＦＩＣ１０１及び１０２に接続された複数の端子と、の間で、高周波信号を送受信する、第１回路２を含む。
【００１７】
高周波信号送受信回路１は、第２アンテナ端子１２ａと、ＲＦＩＣ１０１から１０３までに接続された複数の端子と、の間で、高周波信号を送受信する、第２回路３を含む。
【００１８】
高周波信号送受信回路１は、第３アンテナ端子１３ａと、ＲＦＩＣ１０１から１０４までに接続された複数の端子と、の間で、高周波信号を送受信する、第３回路４を含む。
【００１９】
高周波信号送受信回路１は、第４アンテナ端子１４ａと、ＲＦＩＣ１０１から１０３までに接続された複数の端子と、の間で、高周波信号を送受信する、第４回路５を含む。なお、第４回路５は、第４アンテナ端子１４ａと、ＧＬＯＮＡＳＳ、ガリレオ、北斗衛星測位システム、準天頂衛星システム等で例示される衛星測位システムのＲＦＩＣと、の間で、高周波信号を送受信可能であっても良い。
【００２０】
高周波信号送受信回路１は、第５アンテナ端子１５ａと、ＲＦＩＣ１０１から１０３までに接続された複数の端子と、の間で、高周波信号を送受信する、第５回路６を含む。
【００２１】
高周波信号送受信回路１は、第６アンテナ端子１６ａと、ＲＦＩＣ１０１及び１０２に接続された複数の端子と、の間で、高周波信号を送受信する、第６回路７を含む。
【００２２】
第１回路２は、ＬＴＥ低周波数域信号送受信回路２１と、ＬＴＥ中周波数域信号送受信回路２２と、ＬＴＥ高周波数域信号送受信回路２３と、マルチプレクサ２４と、を含む。
【００２３】
なお、第１の実施の形態において、各送受信回路は、送信回路と受信回路とに分かれていても良い。
【００２４】
第１の実施の形態では、ＬＴＥ低周波数域は、ＬＴＥのバンド２８、２０、５、１９、２６及び８を含むものとするが、本開示はこれらに限定されない。
【００２５】
ＬＴＥのバンド２８は、上り（送信）周波数が７０３ＭＨｚから７４８ＭＨｚ、下り（受信）周波数が７５８ＭＨｚから８０３ＭＨｚの、周波数分割多重通信（Frequency  Division  Duplex：ＦＤＤ）である。
【００２６】
ＬＴＥのバンド２０は、送信周波数が８３２ＭＨｚから８６２ＭＨｚ、受信周波数が７９１ＭＨｚから８２１ＭＨｚのＦＤＤである。
【００２７】
ＬＴＥのバンド５は、送信周波数が８２４ＭＨｚから８４９ＭＨｚ、受信周波数が８６９ＭＨｚから８９４ＭＨｚのＦＤＤである。
【００２８】
ＬＴＥのバンド１９は、送信周波数が８３０ＭＨｚから８４５ＭＨｚ、受信周波数が８７５ＭＨｚから８９０ＭＨｚのＦＤＤである。
【００２９】
ＬＴＥのバンド２６は、送信周波数が８１４ＭＨｚから８４９ＭＨｚ、受信周波数が８５９ＭＨｚから８９４ＭＨｚのＦＤＤである。
【００３０】
ＬＴＥのバンド８は、送信周波数が８８０ＭＨｚから９１５ＭＨｚ、受信周波数が９２５ＭＨｚから９６０ＭＨｚのＦＤＤである。
【００３１】
第１の実施の形態では、ＬＴＥ中周波数域は、ＬＴＥのバンド２１、３及び１を含むものとするが、本開示はこれらに限定されない。
【００３２】
ＬＴＥのバンド２１は、送信周波数が１４４７．９ＭＨｚから１４６２．９ＭＨｚ、受信周波数が１４９５．９ＭＨｚから１５１０．９ＭＨｚのＦＤＤである。
【００３３】
ＬＴＥのバンド３は、送信周波数が１７１０ＭＨｚから１７８５ＭＨｚ、受信周波数が１８０５ＭＨｚから１８８０ＭＨｚのＦＤＤである。
【００３４】
ＬＴＥのバンド１は、送信周波数が１９２０ＭＨｚから１９８０ＭＨｚ、受信周波数が２１１０ＭＨｚから２１７０ＭＨｚのＦＤＤである。
【００３５】
第１の実施の形態では、ＬＴＥ高周波数域は、ＬＴＥのバンド７及び４１を含むものとするが、本開示はこれらに限定されない。
【００３６】
ＬＴＥのバンド７は、送信周波数が２５００ＭＨｚから２５７０ＭＨｚ、受信周波数が２６２０ＭＨｚから２６９０ＭＨｚのＦＤＤである。
【００３７】
ＬＴＥのバンド４１は、送信及び受信周波数が２４９６ＭＨｚから２６９０ＭＨｚの、時分割多重通信（Time  Division  Duplex：ＴＤＤ）である。
【００３８】
マルチプレクサ２４は、１対３のトリプレクサ（Triplexer）である。マルチプレクサ２４は、第１アンテナ端子１１ａと、ＬＴＥ低周波数域信号送受信回路２１、ＬＴＥ中周波数域信号送受信回路２２及びＬＴＥ高周波数域信号送受信回路２３と、の間を電気的に接続する。
【００３９】
マルチプレクサ２４は、ローパスフィルタと、バンドパスフィルタと、ハイパスフィルタと、を含む。ローパスフィルタは、ＬＴＥ低周波数域信号を通過させる。バンドパスフィルタは、ＬＴＥ中周波数域信号を通過させる。ハイパスフィルタは、ＬＴＥ高周波数域信号を通過させる。
【００４０】
ＬＴＥ低周波数域信号送受信回路２１は、ＬＴＥ低周波数域送信信号をＲＦＩＣ１０１から受け取って、マルチプレクサ２４内のローパスフィルタ経由で第１アンテナ端子１１ａに出力する。ＬＴＥ低周波数域信号送受信回路２１は、ＬＴＥ低周波数域受信信号をマルチプレクサ２４内のローパスフィルタ経由で第１アンテナ端子１１ａから受け取って、ＲＦＩＣ１０１に出力する。
【００４１】
ＬＴＥ中周波数域信号送受信回路２２は、ＬＴＥ中周波数域送信信号をＲＦＩＣ１０１から受け取って、マルチプレクサ２４内のバンドパスフィルタ経由で第１アンテナ端子１１ａに出力する。ＬＴＥ中周波数域信号送受信回路２２は、ＬＴＥ中周波数域受信信号をマルチプレクサ２４内のバンドパスフィルタ経由で第１アンテナ端子１１ａから受け取って、ＲＦＩＣ１０１に出力する。
【００４２】
ＬＴＥ高周波数域信号送受信回路２３は、ＬＴＥ高周波数域送信信号をＲＦＩＣ１０１から受け取って、マルチプレクサ２４内のハイパスフィルタ経由で第１アンテナ端子１１ａに出力する。ＬＴＥ高周波数域信号送受信回路２３は、ＬＴＥ高周波数域受信信号をマルチプレクサ２４内のハイパスフィルタ経由で第１アンテナ端子１１ａから受け取って、ＲＦＩＣ１０１に出力する。
【００４３】
第２回路３は、５ＧＮＲ信号及びＬＴＥ超高周波数域信号送受信回路３１を含む。
【００４４】
第１の実施の形態では、５ＧＮＲは、３．３ＧＨｚから４．２ＧＨｚ及び３．３ＧＨｚから３．８ＧＨｚの３．５ＧＨｚ帯並びに４．５ＧＨｚから４．９９ＧＨｚの４．５ＧＨｚ帯のＴＤＤを含むものとするが、本開示はこれらに限定されない。
【００４５】
第１の実施の形態では、ＬＴＥ超高周波数域は、ＬＴＥのバンド４２を含むものとするが、本開示はこれに限定されない。
【００４６】
ＬＴＥのバンド４２は、送信及び受信周波数が３４００ＭＨｚから３６００ＭＨｚの、ＴＤＤである。
【００４７】
５ＧＮＲ信号及びＬＴＥ超高周波数域信号送受信回路３１は、５ＧＮＲ送信信号をＲＦＩＣ１０２から受け取って、第２アンテナ端子１２ａに出力する。５ＧＮＲ信号及びＬＴＥ超高周波数域信号送受信回路３１は、ＬＴＥ超高周波数域送信信号をＲＦＩＣ１０１から受け取って、第２アンテナ端子１２ａに出力する。
【００４８】
５ＧＮＲ信号及びＬＴＥ超高周波数域信号送受信回路３１は、５ＧＮＲ受信信号を第２アンテナ端子１２ａから受け取って、ＲＦＩＣ１０２に出力する。５ＧＮＲ信号及びＬＴＥ超高周波数域信号送受信回路３１は、ＬＴＥ超高周波数域受信信号を第２アンテナ端子１２ａから受け取って、ＲＦＩＣ１０１に出力する。
【００４９】
第３回路４は、ＬＴＥ低周波数域信号受信回路４１と、ＬＴＥ中高周波数域信号受信及びＷｉＦｉ２．４ＧＨｚ域信号送受信回路４２と、マルチプレクサ４３と、を含む。
【００５０】
マルチプレクサ４３は、１対２のダイプレクサ（Diplexer）である。マルチプレクサ４３は、第３アンテナ端子１３ａと、ＬＴＥ低周波数域信号受信回路４１、並びに、ＬＴＥ中高周波数域信号受信及びＷｉＦｉ２．４ＧＨｚ域信号送受信回路４２と、の間を電気的に接続する。なお、ここでは、ローパスフィルタとハイパスフィルタを組み合わせた構成をダイプレクサと呼ぶ。
【００５１】
ＷｉＦｉの２．４ＧＨｚ域は、中心周波数が２４１２ＭＨｚから２４８４ＭＨｚのＣＳＭＡ／ＣＡ（Carrier  Sense  Multiple  Access  with  Collision  Avoidance）を含むものとするが、本開示はこれに限定されない。
【００５２】
マルチプレクサ４３は、ローパスフィルタと、ハイパスフィルタと、を含む。ローパスフィルタは、ＬＴＥ低周波数域信号を通過させる。ハイパスフィルタは、ＬＴＥ中高周波数域信号及びＷｉＦｉ２．４ＧＨｚ域信号を通過させる。
【００５３】
ＬＴＥ低周波数域信号受信回路４１は、ＬＴＥ低周波数域受信信号をマルチプレクサ４３内のローパスフィルタ経由で第３アンテナ端子１３ａから受け取って、ＲＦＩＣ１０１に出力する。
【００５４】
ＬＴＥ中高周波数域信号受信及びＷｉＦｉ２．４ＧＨｚ域信号送受信回路４２は、ＬＴＥ中高周波数域受信信号をマルチプレクサ４３内のハイパスフィルタ経由で第３アンテナ端子１３ａから受け取って、ＲＦＩＣ１０１に出力する。
【００５５】
ＬＴＥ中高周波数域信号受信及びＷｉＦｉ２．４ＧＨｚ域信号送受信回路４２は、ＷｉＦｉ２．４ＧＨｚ域送信信号をＲＦＩＣ１０３から受け取って、マルチプレクサ４３内のハイパスフィルタ経由で第３アンテナ端子１３ａに出力する。ＬＴＥ中高周波数域信号受信及びＷｉＦｉ２．４ＧＨｚ域信号送受信回路４２は、ＷｉＦｉ２．４ＧＨｚ域受信信号をマルチプレクサ４３内のハイパスフィルタ経由で第３アンテナ端子１３ａから受け取って、ＲＦＩＣ１０３に出力する。
【００５６】
第４回路５は、ＧＰＳ信号受信回路５１と、ＬＴＥ高周波数域信号及びＷｉＦｉ２．４ＧＨｚ域信号送受信回路５２と、５ＧＮＲ信号及びＬＴＥ超高周波数域信号送受信回路５３と、ｅＬＡＡ信号及びＷｉＦｉ５ＧＨｚ域信号送受信回路５４と、マルチプレクサ５５と、を含む。
【００５７】
第１の実施の形態では、ＧＰＳ信号は、Ｌ１帯の１５７５．４２ＭＨｚを含むものとするが、本開示はこれに限定されない。
【００５８】
ｅＬＡＡ（enhanced  Licensed  Assisted  Access）は、免許不要な周波数帯を利用してＬＴＥ通信を行う技術である。実施の形態では、ｅＬＡＡ及びＷｉＦｉ５ＧＨｚ域は、中心周波数が５１８０ＭＨｚから５８２５ＭＨｚを含むものとするが、本開示はこれに限定されない。
【００５９】
マルチプレクサ５５は、１対４のクアッドプレクサ（Quadplexer）である。マルチプレクサ５５は、第４アンテナ端子１４ａと、ＧＰＳ信号受信回路５１、ＬＴＥ高周波数域信号及びＷｉＦｉ２．４ＧＨｚ域信号送受信回路５２、５ＧＮＲ信号及びＬＴＥ超高周波数域信号送受信回路５３、並びに、ｅＬＡＡ信号及びＷｉＦｉ５ＧＨｚ域信号送受信回路５４と、の間を電気的に接続する。
【００６０】
マルチプレクサ５５は、ローパスフィルタと、第１バンドパスフィルタと、第２バンドパスフィルタと、ハイパスフィルタと、を含む。ローパスフィルタは、ＧＰＳ信号を通過させる。第１バンドパスフィルタは、ＬＴＥ高周波数域信号及びＷｉＦｉ２．４ＧＨｚ域信号を通過させる。第２バンドパスフィルタは、５ＧＮＲ信号及びＬＴＥ超高周波数域信号を通過させる。ハイパスフィルタは、ｅＬＡＡ信号及びＷｉＦｉ５ＧＨｚ域信号を通過させる。
【００６１】
ＧＰＳ信号受信回路５１は、ＧＰＳ信号をマルチプレクサ５５内のローパスフィルタ経由で第４アンテナ端子１４ａから受け取って、ＧＰＳのＲＦＩＣに出力する。なお、ＧＰＳ信号受信回路５１は、ＧＬＯＮＡＳＳ、ガリレオ、北斗衛星測位システム、準天頂衛星システム等で例示される衛星測位システムの信号を受信可能であっても良い。
【００６２】
ＬＴＥ高周波数域信号及びＷｉＦｉ２．４ＧＨｚ域信号送受信回路５２は、ＷｉＦｉ２．４ＧＨｚ域送信信号をＲＦＩＣ１０３から受け取って、マルチプレクサ５５内の第１バンドパスフィルタ経由で第４アンテナ端子１４ａに出力する。ＬＴＥ高周波数域信号及びＷｉＦｉ２．４ＧＨｚ域信号送受信回路５２は、ＷｉＦｉ２．４ＧＨｚ域受信信号をマルチプレクサ５５内の第１バンドパスフィルタ経由で第４アンテナ端子１４ａから受け取って、ＷｉＦｉのＲＦＩＣに出力する。
【００６３】
ＬＴＥ高周波数域信号及びＷｉＦｉ２．４ＧＨｚ域信号送受信回路５２は、ＬＴＥ高周波数域送信信号をＲＦＩＣ１０１から受け取って、マルチプレクサ５５内の第１バンドパスフィルタ経由で第４アンテナ端子１４ａに出力する。ＬＴＥ高周波数域信号及びＷｉＦｉ２．４ＧＨｚ域信号送受信回路５２は、ＬＴＥ高周波数域受信信号をマルチプレクサ５５内の第１バンドパスフィルタ経由で第４アンテナ端子１４ａから受け取って、ＲＦＩＣ１０１に出力する。
【００６４】
５ＧＮＲ信号及びＬＴＥ超高周波数域信号送受信回路５３は、５ＧＮＲ送信信号をＲＦＩＣ１０２から受け取って、マルチプレクサ５５内の第２バンドパスフィルタ経由で第４アンテナ端子１４ａに出力する。５ＧＮＲ信号及びＬＴＥ超高周波数域信号送受信回路５３は、ＬＴＥ超高周波数域送信信号をＲＦＩＣ１０１から受け取って、マルチプレクサ５５内の第２バンドパスフィルタ経由で第４アンテナ端子１４ａに出力する。
【００６５】
５ＧＮＲ信号及びＬＴＥ超高周波数域信号送受信回路５３は、５ＧＮＲ受信信号をマルチプレクサ５５内の第２バンドパスフィルタ経由で第４アンテナ端子１４ａから受け取って、ＲＦＩＣ１０２に出力する。５ＧＮＲ信号及びＬＴＥ超高周波数域信号送受信回路５３は、ＬＴＥ超高周波数域受信信号をマルチプレクサ５５内の第２バンドパスフィルタ経由で第４アンテナ端子１４ａから受け取って、ＲＦＩＣ１０１に出力する。
【００６６】
ｅＬＡＡ信号及びＷｉＦｉ５ＧＨｚ域信号送受信回路５４は、ｅＬＡＡ送信信号をＲＦＩＣ１０１から受け取って、マルチプレクサ５５内のハイパスフィルタ経由で第４アンテナ端子１４ａに出力する。ｅＬＡＡ信号及びＷｉＦｉ５ＧＨｚ域信号送受信回路５４は、ＷｉＦｉ５ＧＨｚ域送信信号をＲＦＩＣ１０３から受け取って、マルチプレクサ５５内のハイパスフィルタ経由で第４アンテナ端子１４ａに出力する。
【００６７】
ｅＬＡＡ信号及びＷｉＦｉ５ＧＨｚ域信号送受信回路５４は、ｅＬＡＡ受信信号をマルチプレクサ５５内のハイパスフィルタ経由で第４アンテナ端子１４ａから受け取って、ＲＦＩＣ１０１に出力する。ｅＬＡＡ信号及びＷｉＦｉ５ＧＨｚ域信号送受信回路５４は、ＷｉＦｉ５ＧＨｚ域受信信号をマルチプレクサ５５内のハイパスフィルタ経由で第４アンテナ端子１４ａから受け取って、ＲＦＩＣ１０３に出力する。
【００６８】
第５回路６は、ＬＴＥ中高周波数域信号受信回路６１と、５ＧＮＲ信号及びＬＴＥ超高周波数域信号送受信回路６２と、ｅＬＡＡ信号及びＷｉＦｉ５ＧＨｚ域信号送受信回路６３と、マルチプレクサ６４と、を含む。
【００６９】
マルチプレクサ６４は、第５アンテナ端子１５ａと、ＬＴＥ中高周波数域信号受信回路６１、５ＧＮＲ信号及びＬＴＥ超高周波数域信号送受信回路６２、並びに、ｅＬＡＡ信号及びＷｉＦｉ５ＧＨｚ域信号送受信回路６３と、の間を電気的に接続する。
【００７０】
マルチプレクサ６４は、１対３のトリプレクサである。マルチプレクサ６４は、ローパスフィルタと、バンドパスフィルタと、ハイパスフィルタと、を含む。ローパスフィルタは、ＬＴＥ中高周波数域信号を通過させる。バンドパスフィルタは、５ＧＮＲ信号及びＬＴＥ超高周波数域信号を通過させる。ハイパスフィルタは、ｅＬＡＡ信号及びＷｉＦｉ５ＧＨｚ域信号を通過させる。
【００７１】
ＬＴＥ中高周波数域信号受信回路６１は、ＬＴＥ中高周波数域受信信号をマルチプレクサ６４内のローパスフィルタ経由で第５アンテナ端子１５ａから受け取って、ＲＦＩＣ１０１に出力する。
【００７２】
５ＧＮＲ信号及びＬＴＥ超高周波数域信号送受信回路６２は、５ＧＮＲ送信信号をＲＦＩＣ１０２から受け取って、マルチプレクサ６４内のバンドパスフィルタ経由で第５アンテナ端子１５ａに出力する。５ＧＮＲ信号及びＬＴＥ超高周波数域信号送受信回路６２は、ＬＴＥ超高周波数域送信信号をＲＦＩＣ１０１から受け取って、マルチプレクサ６４内のバンドパスフィルタ経由で第５アンテナ端子１５ａに出力する。
【００７３】
５ＧＮＲ信号及びＬＴＥ超高周波数域信号送受信回路６２は、５ＧＮＲ受信信号をマルチプレクサ６４内のバンドパスフィルタ経由で第５アンテナ端子１５ａから受け取って、ＲＦＩＣ１０２に出力する。５ＧＮＲ信号及びＬＴＥ超高周波数域信号送受信回路６２は、ＬＴＥ超高周波数域受信信号をマルチプレクサ６４内のバンドパスフィルタ経由で第５アンテナ端子１５ａから受け取って、ＲＦＩＣ１０１に出力する。
【００７４】
ｅＬＡＡ信号及びＷｉＦｉ５ＧＨｚ域信号送受信回路６３は、ｅＬＡＡ送信信号をＲＦＩＣ１０１から受け取って、マルチプレクサ６４内のハイパスフィルタ経由で第５アンテナ端子１５ａに出力する。ｅＬＡＡ信号及びＷｉＦｉ５ＧＨｚ域信号送受信回路６３は、ＷｉＦｉ５ＧＨｚ域送信信号をＲＦＩＣ１０３から受け取って、マルチプレクサ６４内のハイパスフィルタ経由で第５アンテナ端子１５ａに出力する。
【００７５】
ｅＬＡＡ信号及びＷｉＦｉ５ＧＨｚ域信号送受信回路６３は、ｅＬＡＡ受信信号をマルチプレクサ６４内のハイパスフィルタ経由で第５アンテナ端子１５ａから受け取って、ＲＦＩＣ１０１に出力する。ｅＬＡＡ信号及びＷｉＦｉ５ＧＨｚ域信号送受信回路６３は、ＷｉＦｉ５ＧＨｚ域受信信号をマルチプレクサ６４内のハイパスフィルタ経由で第５アンテナ端子１５ａから受け取って、ＲＦＩＣ１０３に出力する。
【００７６】
第６回路７は、ＬＴＥ中周波数域信号受信回路７１と、５ＧＮＲ信号及びＬＴＥ超高周波数域信号送受信回路７２と、マルチプレクサ７３と、を含む。
【００７７】
マルチプレクサ７３は、第６アンテナ端子１６ａと、ＬＴＥ中周波数域信号受信回路７１、並びに、５ＧＮＲ信号及びＬＴＥ超高周波数域信号送受信回路７２と、の間を電気的に接続する。
【００７８】
マルチプレクサ７３は、１対２のダイプレクサである。マルチプレクサ７３は、ローパスフィルタと、ハイパスフィルタと、を含む。ローパスフィルタは、ＬＴＥ中周波数域信号を通過させる。ハイパスフィルタは、５ＧＮＲ信号及びＬＴＥ超高周波数域信号を通過させる。
【００７９】
ＬＴＥ中周波数域信号受信回路７１は、ＬＴＥ中周波数域受信信号をマルチプレクサ７３内のローパスフィルタ経由で第６アンテナ端子１６ａから受け取って、ＲＦＩＣ１０１に出力する。
【００８０】
５ＧＮＲ信号及びＬＴＥ超高周波数域信号送受信回路７２は、５ＧＮＲ送信信号をＲＦＩＣ１０２から受け取って、マルチプレクサ７３内のハイパスフィルタ経由で第６アンテナ端子１６ａに出力する。５ＧＮＲ信号及びＬＴＥ超高周波数域信号送受信回路７２は、ＬＴＥ超高周波数域送信信号をＲＦＩＣ１０１から受け取って、マルチプレクサ７３内のハイパスフィルタ経由で第６アンテナ端子１６ａに出力する。
【００８１】
５ＧＮＲ信号及びＬＴＥ超高周波数域信号送受信回路７２は、５ＧＮＲ受信信号をマルチプレクサ７３内のハイパスフィルタ経由で第６アンテナ端子１６ａから受け取って、ＲＦＩＣ１０２に出力する。５ＧＮＲ信号及びＬＴＥ超高周波数域信号送受信回路７２は、ＬＴＥ超高周波数域受信信号をマルチプレクサ７３内のハイパスフィルタ経由で第６アンテナ端子１６ａから受け取って、ＲＦＩＣ１０１に出力する。
【００８２】
図３は、第１の実施の形態の高周波信号送受信回路の第１回路の構成を示す図である。
【００８３】
ＬＴＥ低周波数域信号送受信回路２１、ＬＴＥ中周波数域信号送受信回路２２、ＬＴＥ高周波数域信号送受信回路２３、並びに、マルチプレクサ２４は、１個のモジュールとするが、本開示はこれに限定されない。ＬＴＥ低周波数域信号送受信回路２１、ＬＴＥ中周波数域信号送受信回路２２、ＬＴＥ高周波数域信号送受信回路２３、並びに、マルチプレクサ２４は、それぞれ別個のモジュールであっても良い。モジュールは、基板上に１つ又は複数の部品が実装されて構成される。
【００８４】
ＬＴＥ低周波数域信号送受信回路２１は、パワーアンプ２１ａと、ローノイズアンプ２１ｂと、マルチプレクサ２１ｃと、を含む。
【００８５】
パワーアンプ２１ａは、２段接続とするが、本開示はこれに限定されない。パワーアンプ２１ａは、１段であっても良いし、３段以上の接続であっても良い。以降に説明する各パワーアンプも同様である。
【００８６】
マルチプレクサ２１ｃは、１対２のデュプレクサ（Duplexer）である。マルチプレクサ２１ｃは、マルチプレクサ２４内のローパスフィルタと、パワーアンプ２１ａ及びローノイズアンプ２１ｂと、の間を電気的に接続する。
【００８７】
マルチプレクサ２１ｃは、第１バンドパスフィルタと、第２バンドパスフィルタと、を含む。第１バンドパスフィルタは、ＬＴＥ低周波数域送信信号を通過させる。第２バンドパスフィルタは、ＬＴＥ低周波数域受信信号を通過させる。
【００８８】
パワーアンプ２１ａは、ＬＴＥ低周波数域送信信号を端子２ａ経由でＲＦＩＣ１０１から受け取って、マルチプレクサ２１ｃ内の第１バンドパスフィルタに出力する。
【００８９】
ローノイズアンプ２１ｂは、ＬＴＥ低周波数域受信信号をマルチプレクサ２１ｃ内の第２バンドパスフィルタから受け取って、端子２ｂ経由でＲＦＩＣ１０１に出力する。
【００９０】
ＬＴＥ中周波数域信号送受信回路２２は、パワーアンプ２２ａと、ローノイズアンプ２２ｂと、マルチプレクサ２２ｃと、を含む。
【００９１】
マルチプレクサ２２ｃは、１対２のデュプレクサである。マルチプレクサ２２ｃは、マルチプレクサ２４内のバンドパスフィルタと、パワーアンプ２２ａ及びローノイズアンプ２２ｂと、の間を電気的に接続する。
【００９２】
マルチプレクサ２２ｃは、第１バンドパスフィルタと、第２バンドパスフィルタと、を含む。第１バンドパスフィルタは、ＬＴＥ中周波数域送信信号を通過させる。第２バンドパスフィルタは、ＬＴＥ中周波数域受信信号を通過させる。
【００９３】
パワーアンプ２２ａは、ＬＴＥ中周波数域送信信号を端子２ｃ経由でＲＦＩＣ１０１から受け取って、マルチプレクサ２２ｃ内の第１バンドパスフィルタに出力する。
【００９４】
ローノイズアンプ２２ｂは、ＬＴＥ中周波数域受信信号をマルチプレクサ２２ｃ内の第２バンドパスフィルタから受け取って、端子２ｄ経由でＲＦＩＣ１０１に出力する。
【００９５】
ＬＴＥ高周波数域信号送受信回路２３は、パワーアンプ２３ａと、ローノイズアンプ２３ｂと、マルチプレクサ２３ｃと、を含む。
【００９６】
マルチプレクサ２３ｃは、１対２のデュプレクサである。マルチプレクサ２３ｃは、マルチプレクサ２４内のハイパスフィルタと、パワーアンプ２３ａ及びローノイズアンプ２３ｂと、の間を電気的に接続する。
【００９７】
マルチプレクサ２３ｃは、第１バンドパスフィルタと、第２バンドパスフィルタと、を含む。第１バンドパスフィルタは、ＬＴＥ高周波数域送信信号を通過させる。第２バンドパスフィルタは、ＬＴＥ高周波数域受信信号を通過させる。
【００９８】
パワーアンプ２３ａは、ＬＴＥ高周波数域送信信号を端子２ｅ経由でＲＦＩＣ１０１から受け取って、マルチプレクサ２３ｃ内の第１バンドパスフィルタに出力する。
【００９９】
ローノイズアンプ２３ｂは、ＬＴＥ高周波数域受信信号をマルチプレクサ２３ｃ内の第２バンドパスフィルタから受け取って、端子２ｆ経由でＲＦＩＣ１０１に出力する。
【０１００】
図４は、第１の実施の形態の高周波信号送受信回路の第２回路の構成を示す図である。
【０１０１】
５ＧＮＲ信号及びＬＴＥ超高周波数域信号送受信回路３１は、モジュールであっても良い。
【０１０２】
５ＧＮＲ信号及びＬＴＥ超高周波数域信号送受信回路３１は、スイッチ３１ａ、３１ｄ、３１ｅ、３１ｈ及び３１ｋと、パワーアンプ３１ｂ及び３１ｃと、バンドパスフィルタ３１ｆ及び３１ｇと、ローノイズアンプ３１ｉ及び３１ｊと、を含む。
【０１０３】
スイッチ３１ａ及び３１ｋは、デュアルポートデュアルスローのスイッチである。スイッチ３１ｄ、３１ｅ及び３１ｈは、シングルポートデュアルスローのスイッチである。
【０１０４】
５ＧＮＲの４．５ＧＨｚから４．９９ＧＨｚの信号送信の際に、スイッチ３１ａは、端子３ａとパワーアンプ３１ｂとの間を電気的に接続する。スイッチ３１ｄは、パワーアンプ３１ｂとバンドパスフィルタ３１ｆとの間を電気的に接続する。スイッチ３１ｈは、バンドパスフィルタ３１ｆと第２アンテナ１２との間を電気的に接続する。パワーアンプ３１ｂは、５ＧＮＲの４．５ＧＨｚから４．９９ＧＨｚの送信信号を端子３ａ及びスイッチ３１ａ経由でＲＦＩＣ１０２から受け取って増幅し、増幅後の５ＧＮＲの４．５ＧＨｚから４．９９ＧＨｚの送信信号をスイッチ３１ｄ経由でバンドパスフィルタ３１ｆに出力する。バンドパスフィルタ３１ｆは、パワーアンプ３１ｂで増幅後の５ＧＮＲの４．５ＧＨｚから４．９９ＧＨｚの送信信号を帯域通過させて、スイッチ３１ｈ経由で第２アンテナ端子１２ａに出力する。
【０１０５】
５ＧＮＲの３．３ＧＨｚから４．２ＧＨｚの信号送信の際に、スイッチ３１ａは、端子３ａとパワーアンプ３１ｃとの間を電気的に接続する。スイッチ３１ｅは、パワーアンプ３１ｃとバンドパスフィルタ３１ｇとの間を電気的に接続する。スイッチ３１ｈは、バンドパスフィルタ３１ｇと第２アンテナ端子１２ａとの間を電気的に接続する。パワーアンプ３１ｃは、５ＧＮＲの３．３ＧＨｚから４．２ＧＨｚの送信信号を端子３ａ及びスイッチ３１ａ経由でＲＦＩＣ１０２から受け取って増幅し、増幅後の５ＧＮＲの３．３ＧＨｚから４．２ＧＨｚの送信信号をスイッチ３１ｅ経由でバンドパスフィルタ３１ｇに出力する。バンドパスフィルタ３１ｇは、パワーアンプ３１ｃで増幅後の５ＧＮＲの３．３ＧＨｚから４．２ＧＨｚの送信信号を帯域通過させて、スイッチ３１ｈ経由で第２アンテナ端子１２ａに出力する。
【０１０６】
ＬＴＥ超高周波数域信号送信の際に、スイッチ３１ａは、端子３ｂとパワーアンプ３１ｃとの間を電気的に接続する。スイッチ３１ｅは、パワーアンプ３１ｃとバンドパスフィルタ３１ｇとの間を電気的に接続する。スイッチ３１ｈは、バンドパスフィルタ３１ｇと第２アンテナ端子１２ａとの間を電気的に接続する。パワーアンプ３１ｃは、ＬＴＥ超高周波数域送信信号を端子３ｂ及びスイッチ３１ａ経由でＲＦＩＣ１０２から受け取って増幅し、増幅後のＬＴＥ超高周波数域送信信号をスイッチ３１ｅ経由でバンドパスフィルタ３１ｇに出力する。バンドパスフィルタ３１ｇは、パワーアンプ３１ｃで増幅後のＬＴＥ超高周波数域送信信号を帯域通過させて、スイッチ３１ｈ経由で第２アンテナ端子１２ａに出力する。
【０１０７】
５ＧＮＲの４．５ＧＨｚから４．９９ＧＨｚの信号受信の際に、スイッチ３１ｈは、第２アンテナ端子１２ａとバンドパスフィルタ３１ｆとの間を電気的に接続する。スイッチ３１ｄは、バンドパスフィルタ３１ｆとローノイズアンプ３１ｉとの間を電気的に接続する。スイッチ３１ｋは、ローノイズアンプ３１ｉと端子３ｃとの間を電気的に接続する。バンドパスフィルタ３１ｆは、スイッチ３１ｈ経由で第２アンテナ端子１２ａから受け取った５ＧＮＲの４．５ＧＨｚから４．９９ＧＨｚの受信信号を帯域通過させて、スイッチ３１ｄ経由でローノイズアンプ３１ｉに出力する。ローノイズアンプ３１ｉは、５ＧＮＲの４．５ＧＨｚから４．９９ＧＨｚの受信信号を増幅し、増幅後の５ＧＮＲの４．５ＧＨｚから４．９９ＧＨｚの受信信号をスイッチ３１ｋ及び端子３ｃ経由でＲＦＩＣ１０２に出力する。
【０１０８】
５ＧＮＲの３．３ＧＨｚから４．２ＧＨｚの信号受信の際に、スイッチ３１ｈは、第２アンテナ端子１２ａとバンドパスフィルタ３１ｇとの間を電気的に接続する。スイッチ３１ｅは、バンドパスフィルタ３１ｇとローノイズアンプ３１ｊとの間を電気的に接続する。スイッチ３１ｋは、ローノイズアンプ３１ｊと端子３ｃとの間を電気的に接続する。バンドパスフィルタ３１ｇは、スイッチ３１ｈ経由で第２アンテナ端子１２ａから受け取った５ＧＮＲの３．３ＧＨｚから４．２ＧＨｚの受信信号を帯域通過させて、スイッチ３１ｅ経由でローノイズアンプ３１ｊに出力する。ローノイズアンプ３１ｊは、５ＧＮＲの３．３ＧＨｚから４．２ＧＨｚの受信信号を増幅し、増幅後の５ＧＮＲの３．３ＧＨｚから４．２ＧＨｚの受信信号をスイッチ３１ｋ及び端子３ｃ経由でＲＦＩＣ１０２に出力する。
【０１０９】
ＬＴＥ超高周波数域信号受信の際に、スイッチ３１ｈは、第２アンテナ端子１２ａとバンドパスフィルタ３１ｇとの間を電気的に接続する。スイッチ３１ｅは、バンドパスフィルタ３１ｇとローノイズアンプ３１ｊとの間を電気的に接続する。スイッチ３１ｋは、ローノイズアンプ３１ｊと端子３ｄとの間を電気的に接続する。バンドパスフィルタ３１ｇは、スイッチ３１ｈ経由で第２アンテナ端子１２ａから受け取ったＬＴＥ超高周波数域受信信号を帯域通過させて、スイッチ３１ｅ経由でローノイズアンプ３１ｊに出力する。ローノイズアンプ３１ｊは、ＬＴＥ超高周波数域受信信号を増幅し、増幅後のＬＴＥ超高周波数域受信信号をスイッチ３１ｋ及び端子３ｄ経由でＲＦＩＣ１０１に出力する。
【０１１０】
図５は、第１の実施の形態の高周波信号送受信回路の第３回路の構成を示す図である。
【０１１１】
ＬＴＥ低周波数域信号受信回路４１、ＬＴＥ中高周波数域信号受信及びＷｉＦｉ２．４ＧＨｚ域信号送受信回路４２、並びに、マルチプレクサ４３は、１個のモジュールとするが、本開示はこれに限定されない。ＬＴＥ低周波数域信号受信回路４１、ＬＴＥ中高周波数域信号受信及びＷｉＦｉ２．４ＧＨｚ域信号送受信回路４２、並びに、マルチプレクサ４３は、それぞれ別個のモジュールであっても良い。
【０１１２】
ＬＴＥ低周波数域信号受信回路４１は、マルチプレクサ４１ａと、ローノイズアンプ４１ｂ、４１ｃ及び４１ｅと、スイッチ４１ｄと、を含む。
【０１１３】
マルチプレクサ４１ａは、１対４のクアッドプレクサである。マルチプレクサ４１ａは、マルチプレクサ４３内のローパスフィルタと、ローノイズアンプ４１ｂ及び４１ｃ並びにスイッチ４１ｄと、の間を電気的に接続する。
【０１１４】
マルチプレクサ４１ａは、第１バンドパスフィルタと、第２バンドパスフィルタと、第３バンドパスフィルタと、第４バンドパスフィルタと、を含む。第１バンドパスフィルタは、ＬＴＥのバンド２８の受信信号を通過させる。第２バンドパスフィルタは、ＬＴＥのバンド２０の受信信号を通過させる。第３バンドパスフィルタは、ＬＴＥのバンド５、１９及び２６の受信信号を通過させる。第４バンドパスフィルタは、ＬＴＥのバンド８の受信信号を通過させる。
【０１１５】
スイッチ４１ｄは、シングルポートデュアルスローのスイッチである。
【０１１６】
ローノイズアンプ４１ｂは、ＬＴＥのバンド２８の受信信号をマルチプレクサ４１ａ内の第１バンドパスフィルタから受け取って、端子４ａ経由でＲＦＩＣ１０１に出力する。
【０１１７】
ローノイズアンプ４１ｃは、ＬＴＥのバンド２０の受信信号をマルチプレクサ４１ａ内の第２バンドパスフィルタから受け取って、端子４ｂ経由でＲＦＩＣ１０１に出力する。
【０１１８】
ＬＴＥのバンド５、１９又は２６の信号受信の際に、スイッチ４１ｄは、マルチプレクサ４１ａ内の第３バンドパスフィルタとローノイズアンプ４１ｅとの間を電気的に接続する。ローノイズアンプ４１ｅは、スイッチ４１ｄ経由でマルチプレクサ４１ａ内の第３バンドパスフィルタから受け取ったＬＴＥのバンド５、１９又は２６の受信信号を増幅し、増幅後のＬＴＥのバンド５、１９又は２６の受信信号を端子４ｃ経由でＲＦＩＣ１０１に出力する。
【０１１９】
ＬＴＥのバンド８の信号受信の際に、スイッチ４１ｄは、マルチプレクサ４１ａ内の第４バンドパスフィルタとローノイズアンプ４１ｅとの間を電気的に接続する。ローノイズアンプ４１ｅは、スイッチ４１ｄ経由でマルチプレクサ４１ａ内の第４バンドパスフィルタから受け取ったＬＴＥのバンド８の受信信号を増幅し、増幅後のＬＴＥのバンド８の受信信号を端子４ｃ経由でＲＦＩＣ１０１に出力する。
【０１２０】
ＬＴＥ中高周波数域信号受信及びＷｉＦｉ２．４ＧＨｚ域信号送受信回路４２は、マルチプレクサ４２ａと、ローノイズアンプ４２ｂ、４２ｃ、４２ｄ、４２ｆ及び４２ｊと、スイッチ４２ｅ、４２ｇ及び４２ｉと、パワーアンプ４２ｈと、を含む。
【０１２１】
マルチプレクサ４２ａは、１対４のクアッドプレクサである。マルチプレクサ４２ａは、マルチプレクサ４３内のハイパスフィルタと、ローノイズアンプ４２ｂ、４２ｃ、４２ｄ並びにスイッチ４２ｅと、の間を電気的に接続する。
【０１２２】
マルチプレクサ４２ａは、第１バンドパスフィルタと、第２バンドパスフィルタと、第３バンドパスフィルタと、第４バンドパスフィルタと、を含む。第１バンドパスフィルタは、ＬＴＥのバンド３の受信信号を通過させる。第２バンドパスフィルタは、ＬＴＥのバンド１の受信信号を通過させる。第３バンドパスフィルタは、ＬＴＥのバンド２１の受信信号を通過させる。第４バンドパスフィルタは、ＬＴＥのバンド７及び４１の受信信号並びにＷｉＦｉの２．４ＧＨｚ域の送受信信号を通過させる。
【０１２３】
スイッチ４２ｅ、４２ｇ及び４２ｉは、シングルポートデュアルスローのスイッチである。
【０１２４】
ローノイズアンプ４２ｂは、ＬＴＥのバンド３の受信信号をマルチプレクサ４２ａ内の第１バンドパスフィルタから受け取って、端子４ｄ経由でＲＦＩＣ１０１に出力する。
【０１２５】
ローノイズアンプ４２ｃは、ＬＴＥのバンド１の受信信号をマルチプレクサ４２ａ内の第２バンドパスフィルタから受け取って、端子４ｅ経由でＲＦＩＣ１０１に出力する。
【０１２６】
ＬＴＥのバンド２１の信号受信の際に、スイッチ４２ｇは、ローノイズアンプ４２ｄと端子４ｆとの間を電気的に接続する。ローノイズアンプ４２ｄは、マルチプレクサ４２ａ内の第３バンドパスフィルタから受け取ったＬＴＥのバンド２１の受信信号を増幅し、増幅後のＬＴＥのバンド２１の受信信号をスイッチ４２ｇ及び端子４ｆ経由でＲＦＩＣ１０１に出力する。
【０１２７】
ＬＴＥのバンド７又は４１の信号受信の際に、スイッチ４２ｅは、マルチプレクサ４２ａ内の第４バンドパスフィルタとローノイズアンプ４２ｆとの間を電気的に接続する。スイッチ４２ｇは、ローノイズアンプ４２ｆと端子４ｆとの間を電気的に接続する。ローノイズアンプ４２ｆは、スイッチ４２ｅ経由でマルチプレクサ４２ａ内の第４バンドパスフィルタから受け取ったＬＴＥのバンド７又は４１の受信信号を増幅し、増幅後のＬＴＥのバンド７又は４１の受信信号をスイッチ４２ｇ及び端子４ｆ経由でＲＦＩＣ１０１に出力する。
【０１２８】
ＷｉＦｉの２．４ＧＨｚ域の信号送信の際に、スイッチ４２ｉは、パワーアンプ４２ｈとスイッチ４２ｅとの間を電気的に接続する。スイッチ４２ｅは、スイッチ４２ｉとマルチプレクサ４２ａ内の第４バンドパスフィルタとの間を電気的に接続する。パワーアンプ４２ｈは、ＷｉＦｉの２．４ＧＨｚ域の送信信号を端子４ｇ経由でＲＦＩＣ１０３から受け取って増幅し、増幅後のＷｉＦｉの２．４ＧＨｚ域の送信信号をスイッチ４２ｉ及び４２ｅ経由でマルチプレクサ４２ａ内の第４バンドパスフィルタに出力する。
【０１２９】
ＷｉＦｉの２．４ＧＨｚ域の信号受信の際に、スイッチ４２ｅは、マルチプレクサ４２ａ内の第４バンドパスフィルタとスイッチ４２ｉとの間を電気的に接続する。スイッチ４２ｉは、スイッチ４２ｅとローノイズアンプ４２ｊとの間を電気的に接続する。ローノイズアンプ４２ｊは、ＷｉＦｉの２．４ＧＨｚ域の受信信号をスイッチ４２ｉ及び４２ｅ経由でマルチプレクサ４２ａ内の第４バンドパスフィルタから受け取って増幅し、増幅後のＷｉＦｉの２．４ＧＨｚ域の受信信号を端子４ｈ経由でＲＦＩＣ１０３に出力する。
【０１３０】
図６は、第１の実施の形態の高周波信号送受信回路の第４回路の構成を示す図である。
【０１３１】
ＧＰＳ信号受信回路５１、ＬＴＥ高周波数域信号及びＷｉＦｉ２．４ＧＨｚ域信号送受信回路５２、５ＧＮＲ信号及びＬＴＥ超高周波数域信号送受信回路５３、ｅＬＡＡ信号及びＷｉＦｉ５ＧＨｚ域信号送受信回路５４、並びに、マルチプレクサ５５は、１個のモジュールとするが、本開示はこれに限定されない。ＧＰＳ信号受信回路５１、ＬＴＥ高周波数域信号及びＷｉＦｉ２．４ＧＨｚ域信号送受信回路５２、５ＧＮＲ信号及びＬＴＥ超高周波数域信号送受信回路５３、ｅＬＡＡ信号及びＷｉＦｉ５ＧＨｚ域信号送受信回路５４、並びに、マルチプレクサ５５は、それぞれ別個のモジュールであっても良い。
【０１３２】
ＧＰＳ信号受信回路５１は、ＧＰＳ受信器５１ａを含む。ＧＰＳ受信器５１ａは、ＧＰＳ信号をマルチプレクサ５５内のローパスフィルタから受け取って、端子５ａ経由でＲＦＩＣ１０４に出力する。
【０１３３】
ＬＴＥ高周波数域信号及びＷｉＦｉ２．４ＧＨｚ域信号送受信回路５２は、パワーアンプ５２ａ及び５２ｅと、スイッチ５２ｂ、５２ｆ、５２ｈ及び５２ｊと、マルチプレクサ５２ｃ及び５２ｉと、ローノイズアンプ５２ｄ及び５２ｋと、バンドパスフィルタ５２ｇと、を含む。
【０１３４】
マルチプレクサ５２ｃは、１対２のデュプレクサである。マルチプレクサ５２ｃは、マルチプレクサ５５内の第１バンドパスフィルタと、スイッチ５２ｂ及び５２ｈと、の間を電気的に接続する。
【０１３５】
マルチプレクサ５２ｃは、バンドパスフィルタと、ハイパスフィルタと、を含む。バンドパスフィルタは、ＷｉＦｉの２．４ＧＨｚ域の信号を通過させる。ハイパスフィルタは、ＬＴＥのバンド７及び４１の信号を通過させる。
【０１３６】
マルチプレクサ５２ｉは、１対２のデュプレクサである。マルチプレクサ５２ｉは、スイッチ５２ｈと、スイッチ５２ｆ及び５２ｊと、の間を電気的に接続する。
【０１３７】
マルチプレクサ５２ｉは、第１バンドパスフィルタと、第２バンドパスフィルタと、を含む。第１バンドパスフィルタは、ＬＴＥのバンド７の送信信号を通過させる。第２バンドパスフィルタは、ＬＴＥのバンド７の受信信号を通過させる。
【０１３８】
バンドパスフィルタ５２ｇは、ＬＴＥのバンド４１の信号を通過させる。
【０１３９】
スイッチ５２ｂ、５２ｈ及び５２ｊは、シングルポートデュアルスローのスイッチである。スイッチ５２ｆは、デュアルポートデュアルスローのスイッチである。
【０１４０】
ＷｉＦｉの２．４ＧＨｚ域の信号送信の際に、スイッチ５２ｂは、パワーアンプ５２ａとマルチプレクサ５２ｃ内のバンドパスフィルタとの間を電気的に接続する。パワーアンプ５２ａは、ＷｉＦｉの２．４ＧＨｚ域の送信信号を端子５ｂ経由でＲＦＩＣ１０３から受け取って増幅し、増幅後のＷｉＦｉの２．４ＧＨｚ域の送信信号をスイッチ５２ｂ経由でマルチプレクサ５２ｃ内のバンドパスフィルタに出力する。
【０１４１】
ＷｉＦｉの２．４ＧＨｚ域の信号受信の際に、スイッチ５２ｂは、マルチプレクサ５２ｃ内のバンドパスフィルタとローノイズアンプ５２ｄとの間を電気的に接続する。ローノイズアンプ５２ｄは、ＷｉＦｉの２．４ＧＨｚ域の受信信号をスイッチ５２ｂ経由でマルチプレクサ５２ｃ内のバンドパスフィルタから受け取って、端子５ｃ経由でＲＦＩＣ１０３に出力する。
【０１４２】
ＬＴＥのバンド７の信号送信の際に、スイッチ５２ｆは、パワーアンプ５２ｅとマルチプレクサ５２ｉ内の第１バンドパスフィルタとの間を電気的に接続する。スイッチ５２ｈは、マルチプレクサ５２ｉ内の第１バンドパスフィルタとマルチプレクサ５２ｃ内のハイパスフィルタとの間を電気的に接続する。パワーアンプ５２ｅは、ＬＴＥのバンド７の送信信号を端子５ｄ経由でＲＦＩＣ１０１から受け取って増幅し、増幅後のＬＴＥのバンド７の送信信号をスイッチ５２ｆ経由でマルチプレクサ５２ｉ内の第１バンドパスフィルタに出力する。マルチプレクサ５２ｉ内の第１バンドパスフィルタは、増幅後のＬＴＥのバンド７の送信信号を帯域通過させて、スイッチ５２ｈ経由でマルチプレクサ５２ｃ内のハイパスフィルタに出力する。マルチプレクサ５２ｃ内のハイパスフィルタは、増幅後のＬＴＥのバンド７の送信信号を帯域通過させて、マルチプレクサ５５内の第１バンドパスフィルタに出力する。
【０１４３】
ＬＴＥのバンド４１の信号送信の際に、スイッチ５２ｆは、パワーアンプ５２ｅとバンドパスフィルタ５２ｇとの間を電気的に接続する。スイッチ５２ｈは、バンドパスフィルタ５２ｇとマルチプレクサ５２ｃ内のハイパスフィルタとの間を電気的に接続する。パワーアンプ５２ｅは、ＬＴＥのバンド４１の送信信号を端子５ｄ経由でＲＦＩＣ１０１から受け取って増幅し、増幅後のＬＴＥのバンド４１の送信信号をスイッチ５２ｆ経由でバンドパスフィルタ５２ｇに出力する。バンドパスフィルタ５２ｇは、増幅後のＬＴＥのバンド４１の送信信号を帯域通過させて、スイッチ５２ｈ経由でマルチプレクサ５２ｃ内のハイパスフィルタに出力する。マルチプレクサ５２ｃ内のハイパスフィルタは、増幅後のＬＴＥのバンド４１の送信信号を帯域通過させて、マルチプレクサ５５内の第１バンドパスフィルタに出力する。
【０１４４】
ＬＴＥのバンド７の信号受信の際に、スイッチ５２ｈは、マルチプレクサ５２ｃ内のハイパスフィルタとマルチプレクサ５２ｉ内の第２バンドパスフィルタとの間を電気的に接続する。スイッチ５２ｊは、マルチプレクサ５２ｉ内の第２バンドパスフィルタとローノイズアンプ５２ｋとの間を電気的に接続する。ローノイズアンプ５２ｋは、ＬＴＥのバンド７の受信信号をスイッチ５２ｊ経由でマルチプレクサ５２ｉの第２バンドパスフィルタから受け取って増幅し、増幅後のＬＴＥのバンド７の受信信号を端子５ｅ経由でＲＦＩＣ１０１に出力する。
【０１４５】
ＬＴＥのバンド４１の信号受信の際に、スイッチ５２ｈは、マルチプレクサ５２ｃ内のハイパスフィルタとバンドパスフィルタ５２ｇとの間を電気的に接続する。スイッチ５２ｆは、バンドパスフィルタ５２ｇとスイッチ５２ｊとの間を電気的に接続する。スイッチ５２ｊは、スイッチ５２ｆとローノイズアンプ５２ｋとの間を電気的に接続する。ローノイズアンプ５２ｋは、ＬＴＥのバンド４１の受信信号をスイッチ５２ｆ及び５２ｊ経由でバンドパスフィルタ５２ｇから受け取って増幅し、増幅後のＬＴＥのバンド４１の受信信号を端子５ｅ経由でＲＦＩＣ１０１に出力する。
【０１４６】
５ＧＮＲ信号及びＬＴＥ超高周波数域信号送受信回路５３の回路構成要素は、５ＧＮＲ信号及びＬＴＥ超高周波数域信号送受信回路３１（図３参照）の回路構成要素と同じであるので、同一の参照番号を付して説明を省略する。
【０１４７】
５ＧＮＲ信号及びＬＴＥ超高周波数域信号送受信回路５３は、５ＧＮＲの４．５ＧＨｚから４．９９ＧＨｚの送信信号を端子５ｆ経由でＲＦＩＣ１０２から受け取って増幅し、増幅後の５ＧＮＲの４．５ＧＨｚから４．９９ＧＨｚの送信信号をマルチプレクサ５５内の第２バンドパスフィルタに出力する。
【０１４８】
５ＧＮＲ信号及びＬＴＥ超高周波数域信号送受信回路５３は、ＬＴＥ超高周波数域送信信号を端子５ｇ経由でＲＦＩＣ１０１から受け取って増幅し、増幅後のＬＴＥ超高周波数域送信信号をマルチプレクサ５５内の第２バンドパスフィルタに出力する。
【０１４９】
５ＧＮＲ信号及びＬＴＥ超高周波数域信号送受信回路５３は、５ＧＮＲの４．５ＧＨｚから４．９９ＧＨｚの受信信号をマルチプレクサ５５内の第２バンドパスフィルタから受け取って増幅し、増幅後の５ＧＮＲの４．５ＧＨｚから４．９９ＧＨｚの受信信号を端子５ｈ経由でＲＦＩＣ１０２に出力する。
【０１５０】
５ＧＮＲ信号及びＬＴＥ超高周波数域信号送受信回路５３は、ＬＴＥ超高周波数域受信信号をマルチプレクサ５５内の第２バンドパスフィルタから受け取って増幅し、増幅後のＬＴＥ超高周波数域受信信号を端子５ｉ経由でＲＦＩＣ１０１に出力する。
【０１５１】
ｅＬＡＡ信号及びＷｉＦｉ５ＧＨｚ域信号送受信回路５４は、パワーアンプ５４ａ及び５４ｃと、スイッチ５４ｂ及び５４ｄと、バンドパスフィルタ５４ｅと、ローノイズアンプ５４ｆと、を含む。
【０１５２】
バンドパスフィルタ５４ｅは、ｅＬＡＡの信号及びＷｉＦｉ５ＧＨｚ域の信号を通過させる。
【０１５３】
スイッチ５４ｂ及び５４ｄは、シングルポートデュアルスローのスイッチである。
【０１５４】
ｅＬＡＡの信号送信の際、スイッチ５４ｂは、パワーアンプ５４ａとパワーアンプ５４ｃとの間を電気的に接続する。スイッチ５４ｄは、パワーアンプ５４ｃとバンドパスフィルタ５４ｅとの間を電気的に接続する。パワーアンプ５４ａは、ｅＬＡＡの送信信号を端子５ｊ経由でＲＦＩＣ１０１から受け取って増幅し、増幅後のｅＬＡＡの送信信号をスイッチ５４ｂ経由でパワーアンプ５４ｃに出力する。パワーアンプ５４ｃは、パワーアンプ５４ａで増幅後のｅＬＡＡの送信信号をスイッチ５４ｂ経由でパワーアンプ５４ａから受け取って更に増幅し、増幅後のｅＬＡＡの送信信号をスイッチ５４ｄ経由でバンドパスフィルタ５４ｅに出力する。バンドパスフィルタ５４ｅは、パワーアンプ５４ｃで増幅後のｅＬＡＡの送信信号を帯域通過させて、マルチプレクサ５５内のハイパスフィルタに出力する。
【０１５５】
ＷｉＦｉの５ＧＨｚ域の信号送信の際、スイッチ５４ｂは、端子５ｋとパワーアンプ５４ｃとの間を電気的に接続する。スイッチ５４ｄは、パワーアンプ５４ｃとバンドパスフィルタ５４ｅとの間を電気的に接続する。パワーアンプ５４ｃは、ＷｉＦｉの５ＧＨｚ域の送信信号を端子５ｋ及びスイッチ５４ｂ経由でＲＦＩＣ１０３から受け取って増幅し、増幅後のＷｉＦｉの５ＧＨｚ域の送信信号をスイッチ５４ｄ経由でバンドパスフィルタ５４ｅに出力する。バンドパスフィルタ５４ｅは、パワーアンプ５４ｃで増幅後のＷｉＦｉの５ＧＨｚ域の送信信号を帯域通過させて、マルチプレクサ５５内のハイパスフィルタに出力する。
【０１５６】
ｅＬＡＡの信号受信又はＷｉＦｉの５ＧＨｚ域の信号受信の際、スイッチ５４ｄは、バンドパスフィルタ５４ｅとローノイズアンプ５４ｆとの間を電気的に接続する。バンドパスフィルタ５４ｅは、マルチプレクサ５５内のハイパスフィルタから受け取ったｅＬＡＡの受信信号又はＷｉＦｉの５ＧＨｚ域の受信信号を帯域通過させて、スイッチ５４ｄ経由でローノイズアンプ５４ｆに出力する。ローノイズアンプ５４ｆは、ｅＬＡＡの受信信号又はＷｉＦｉの５ＧＨｚ域の受信信号を増幅し、増幅後のｅＬＡＡの受信信号を端子５ｌ経由でＲＦＩＣ１０１に出力する。また、ローノイズアンプ５４ｆは、ＷｉＦｉの５ＧＨｚ域の受信信号を増幅し、増幅後のＷｉＦｉの５ＧＨｚ域の受信信号を端子５ｍ経由でＲＦＩＣ１０３に出力する。
【０１５７】
なお、ＬＴＥ高周波数域信号及びＷｉＦｉ２．４ＧＨｚ域信号送受信回路５２と、５ＧＮＲ信号及びＬＴＥ超高周波数域信号送受信回路５３と、の間は、アイソレーションされていることが好ましい。アイソレーションは、物理的な距離を離すことや、金属シールドで分離することが例示される。ＬＴＥのバンド７若しくは４１又はＷｉＦｉの２．４ＧＨｚ域の信号の２倍高調波の周波数と、５ＧＮＲ又はＬＴＥ超高周波数域の信号の周波数と、が近いので、５ＧＮＲ信号及びＬＴＥ超高周波数域信号送受信回路５３がＬＴＥのバンド７若しくは４１又はＷｉＦｉの２．４ＧＨｚ域の信号の２倍高調波の影響を受けてしまう可能性があるからである。
【０１５８】
また、５ＧＮＲ信号及びＬＴＥ超高周波数域信号送受信回路５３と、ｅＬＡＡ信号及びＷｉＦｉ５ＧＨｚ域信号送受信回路５４と、の間は、アイソレーションされていることが好ましい。５ＧＮＲ又はＬＴＥ超高周波数域の信号の周波数と、ｅＬＡＡ又はＷｉＦｉ５ＧＨｚ域の信号の周波数と、が近いので、５ＧＮＲ信号及びＬＴＥ超高周波数域信号送受信回路５３と、ｅＬＡＡ信号及びＷｉＦｉ５ＧＨｚ域信号送受信回路５４と、が互いに影響してしまう可能性があるからである。但し、５ＧＮＲ又はＬＴＥ超高周波数域の信号の送受信と、ｅＬＡＡ又はＷｉＦｉ５ＧＨｚ域の信号の送受信と、を時分割で行う場合には、アイソレーションは不要である。
【０１５９】
図７は、第１の実施の形態の高周波信号送受信回路の第５回路の構成を示す図である。
【０１６０】
ＬＴＥ中高周波数域信号受信回路６１、５ＧＮＲ信号及びＬＴＥ超高周波数域信号送受信回路６２、ｅＬＡＡ信号及びＷｉＦｉ５ＧＨｚ域信号送受信回路６３、並びに、マルチプレクサ６４は、１個のモジュールとするが、本開示はこれに限定されない。ＬＴＥ中高周波数域信号受信回路６１、５ＧＮＲ信号及びＬＴＥ超高周波数域信号送受信回路６２、ｅＬＡＡ信号及びＷｉＦｉ５ＧＨｚ域信号送受信回路６３、並びに、マルチプレクサ６４は、それぞれ別個のモジュールであっても良い。
【０１６１】
ＬＴＥ中高周波数域信号受信回路６１は、マルチプレクサ６１ａと、ローノイズアンプ６１ｂ、６１ｄ、６１ｅ及び６１ｆと、スイッチ６１ｃと、を含む。
【０１６２】
マルチプレクサ６１ａは、１対４のクアッドプレクサである。マルチプレクサ６１ａは、マルチプレクサ６４内のローパスフィルタと、ローノイズアンプ６１ｂ、６１ｄ、６１ｅ及び６１ｆと、の間を電気的に接続する。
【０１６３】
マルチプレクサ６１ａは、第１バンドパスフィルタと、第２バンドパスフィルタと、第３バンドパスフィルタと、第４バンドパスフィルタと、を含む。第１バンドパスフィルタは、ＬＴＥのバンド７及び４１の受信信号を通過させる。第２バンドパスフィルタは、ＬＴＥのバンド２１の受信信号を通過させる。第３バンドパスフィルタは、ＬＴＥのバンド３の受信信号を通過させる。第４バンドパスフィルタは、ＬＴＥのバンド１の受信信号を通過させる。
【０１６４】
スイッチ６１ｃは、シングルポートデュアルスローのスイッチである。
【０１６５】
ＬＴＥのバンド７又は４１の信号受信の際に、スイッチ６１ｃは、ローノイズアンプ６１ｂと端子６ａとの間を電気的に接続する。ローノイズアンプ６１ｂは、ＬＴＥのバンド７又は４１の受信信号をマルチプレクサ６１ａの第１バンドパスフィルタから受け取って増幅し、増幅後のＬＴＥのバンド７又は４１の受信信号を端子６ａ経由でＲＦＩＣ１０１に出力する。
【０１６６】
ＬＴＥのバンド２１の信号受信の際に、スイッチ６１ｃは、ローノイズアンプ６１ｄと端子６ａとの間を電気的に接続する。ローノイズアンプ６１ｄは、ＬＴＥのバンド２１の受信信号をマルチプレクサ６１ａの第２バンドパスフィルタから受け取って増幅し、増幅後のＬＴＥのバンド２１の受信信号を端子６ａ経由でＲＦＩＣ１０１に出力する。
【０１６７】
ローノイズアンプ６１ｅは、ＬＴＥのバンド３の受信信号をマルチプレクサ６１ａの第３バンドパスフィルタから受け取って増幅し、増幅後のＬＴＥのバンド３の受信信号を端子６ｂ経由でＲＦＩＣ１０１に出力する。
【０１６８】
ローノイズアンプ６１ｆは、ＬＴＥのバンド１の受信信号をマルチプレクサ６１ａの第４バンドパスフィルタから受け取って増幅し、増幅後のＬＴＥのバンド１の受信信号を端子６ｃ経由でＲＦＩＣ１０１に出力する。
【０１６９】
５ＧＮＲ信号及びＬＴＥ超高周波数域信号送受信回路６２の回路構成要素は、５ＧＮＲ信号及びＬＴＥ超高周波数域信号送受信回路３１（図３参照）の回路構成要素と同じであるので、同一の参照番号を付して説明を省略する。
【０１７０】
５ＧＮＲ信号及びＬＴＥ超高周波数域信号送受信回路６２は、５ＧＮＲの４．５ＧＨｚから４．９９ＧＨｚの送信信号を端子６ｄ経由でＲＦＩＣ１０２から受け取って増幅し、増幅後の５ＧＮＲの４．５ＧＨｚから４．９９ＧＨｚの送信信号をマルチプレクサ６４内のバンドパスフィルタに出力する。
【０１７１】
５ＧＮＲ信号及びＬＴＥ超高周波数域信号送受信回路６２は、ＬＴＥ超高周波数域送信信号を端子６ｅ経由でＲＦＩＣ１０１から受け取って増幅し、増幅後のＬＴＥ超高周波数域送信信号をマルチプレクサ６４内のバンドパスフィルタに出力する。
【０１７２】
５ＧＮＲ信号及びＬＴＥ超高周波数域信号送受信回路６２は、５ＧＮＲの４．５ＧＨｚから４．９９ＧＨｚの受信信号をマルチプレクサ６４内のバンドパスフィルタから受け取って増幅し、増幅後の５ＧＮＲの４．５ＧＨｚから４．９９ＧＨｚの受信信号を端子６ｆ経由でＲＦＩＣ１０２に出力する。
【０１７３】
５ＧＮＲ信号及びＬＴＥ超高周波数域信号送受信回路６２は、ＬＴＥ超高周波数域受信信号をマルチプレクサ６４内のバンドパスフィルタから受け取って増幅し、増幅後のＬＴＥ超高周波数域受信信号を端子６ｇ経由でＲＦＩＣ１０１に出力する。
【０１７４】
ｅＬＡＡ信号及びＷｉＦｉ５ＧＨｚ域信号送受信回路６３の回路構成要素は、ｅＬＡＡ信号及びＷｉＦｉ５ＧＨｚ域信号送受信回路５４（図５参照）の回路構成要素と同じであるので、同一の参照番号を付して説明を省略する。
【０１７５】
ｅＬＡＡ信号及びＷｉＦｉ５ＧＨｚ域信号送受信回路６３は、ｅＬＡＡの送信信号を端子６ｈ経由でＲＦＩＣ１０１から受け取って増幅し、増幅後のｅＬＡＡの送信信号をマルチプレクサ６４内のハイパスフィルタに出力する。
【０１７６】
ｅＬＡＡ信号及びＷｉＦｉ５ＧＨｚ域信号送受信回路６３は、ＷｉＦｉの５ＧＨｚ域の送信信号を端子６ｉ経由でＲＦＩＣ１０３から受け取って増幅し、増幅後のＷｉＦｉの５ＧＨｚ域の送信信号をマルチプレクサ６４内のハイパスフィルタに出力する。
【０１７７】
ｅＬＡＡ信号及びＷｉＦｉ５ＧＨｚ域信号送受信回路６３は、マルチプレクサ６４内のハイパスフィルタから受け取ったｅＬＡＡの受信信号を増幅し、増幅後のｅＬＡＡの受信信号を端子６ｊ経由でＲＦＩＣ１０１に出力する。
【０１７８】
ｅＬＡＡ信号及びＷｉＦｉ５ＧＨｚ域信号送受信回路６３は、マルチプレクサ６４内のハイパスフィルタから受け取ったＷｉＦｉの５ＧＨｚ域の受信信号を増幅し、増幅後のＷｉＦｉの５ＧＨｚ域の受信信号を端子６ｋ経由でＲＦＩＣ１０３に出力する。
【０１７９】
なお、ＬＴＥ中高周波数域信号受信回路６１と、５ＧＮＲ信号及びＬＴＥ超高周波数域信号送受信回路６２と、の間は、アイソレーションされていることが好ましい。ＬＴＥのバンド７、４１又は２１の信号の２倍高調波の周波数と、５ＧＮＲ又はＬＴＥ超高周波数域の信号の周波数と、が近いので、５ＧＮＲ信号及びＬＴＥ超高周波数域信号送受信回路６２がＬＴＥのバンド７、４１又は２１の信号の２倍高調波の影響を受けてしまう可能性があるからである。
【０１８０】
また、５ＧＮＲ信号及びＬＴＥ超高周波数域信号送受信回路６２と、ｅＬＡＡ信号及びＷｉＦｉ５ＧＨｚ域信号送受信回路６３と、の間は、アイソレーションされていることが好ましい。５ＧＮＲ又はＬＴＥ超高周波数域の信号の周波数と、ｅＬＡＡ又はＷｉＦｉ５ＧＨｚ域の信号の周波数と、が近いので、５ＧＮＲ信号及びＬＴＥ超高周波数域信号送受信回路６２と、ｅＬＡＡ信号及びＷｉＦｉ５ＧＨｚ域信号送受信回路６３と、が互いに影響してしまう可能性があるからである。但し、５ＧＮＲ又はＬＴＥ超高周波数域の信号の送受信と、ｅＬＡＡ又はＷｉＦｉ５ＧＨｚ域の信号の送受信と、を時分割で行う場合には、アイソレーションは不要である。
【０１８１】
また、ＧＰＳ信号受信回路５１（図６参照）を、第４回路５ではなく、第５回路６に含めても良い。この場合、第４回路５のマルチプレクサ５５（図６参照）を１対３のトリプレクサとし、第５回路６のマルチプレクサ６４を１対４のクアッドプレクサとすれば良い。
【０１８２】
図８は、実施の形態の高周波信号送受信回路の第６回路の構成を示す図である。
【０１８３】
ＬＴＥ中周波数域信号受信回路７１、５ＧＮＲ信号及びＬＴＥ超高周波数域信号送受信回路７２、並びに、マルチプレクサ７３は、１個のモジュールとするが、本開示はこれに限定されない。ＬＴＥ中周波数域信号受信回路７１、５ＧＮＲ信号及びＬＴＥ超高周波数域信号送受信回路７２、並びに、マルチプレクサ７３は、それぞれ別個のモジュールであっても良い。
【０１８４】
ＬＴＥ中周波数域信号受信回路７１は、マルチプレクサ７１ａと、ローノイズアンプ７１ｂ、７１ｃ及び７１ｄと、を含む。
【０１８５】
マルチプレクサ７１ａは、１対３のトリプレクサである。マルチプレクサ７１ａは、マルチプレクサ７３内のローパスフィルタと、ローノイズアンプ７１ｂ、７１ｃ及び７１ｄと、の間を電気的に接続する。
【０１８６】
マルチプレクサ７１ａは、第１バンドパスフィルタと、第２バンドパスフィルタと、第３バンドパスフィルタと、を含む。第１バンドパスフィルタは、ＬＴＥのバンド２１の受信信号を通過させる。第２バンドパスフィルタは、ＬＴＥのバンド３の受信信号を通過させる。第３バンドパスフィルタは、ＬＴＥのバンド１の受信信号を通過させる。
【０１８７】
ローノイズアンプ７１ｂは、ＬＴＥのバンド２１の受信信号をマルチプレクサ７１ａ内の第１バンドパスフィルタから受け取って、端子７ａ経由でＲＦＩＣ１０１に出力する。
【０１８８】
ローノイズアンプ７１ｃは、ＬＴＥのバンド３の受信信号をマルチプレクサ７１ａ内の第２バンドパスフィルタから受け取って、端子７ｂ経由でＲＦＩＣ１０１に出力する。
【０１８９】
ローノイズアンプ７１ｄは、ＬＴＥのバンド１の受信信号をマルチプレクサ７１ａ内の第３バンドパスフィルタから受け取って、端子７ｃ経由でＲＦＩＣ１０１に出力する。
【０１９０】
５ＧＮＲ信号及びＬＴＥ超高周波数域信号送受信回路７２の回路構成要素は、５ＧＮＲ信号及びＬＴＥ超高周波数域信号送受信回路３１（図３参照）の回路構成要素と同じであるので、同一の参照番号を付して説明を省略する。
【０１９１】
５ＧＮＲ信号及びＬＴＥ超高周波数域信号送受信回路７２は、５ＧＮＲの４．５ＧＨｚから４．９９ＧＨｚの送信信号を端子７ｄ経由でＲＦＩＣ１０２から受け取って増幅し、増幅後の５ＧＮＲの４．５ＧＨｚから４．９９ＧＨｚの送信信号をマルチプレクサ７３内のハイパスフィルタに出力する。
【０１９２】
５ＧＮＲ信号及びＬＴＥ超高周波数域信号送受信回路７２は、ＬＴＥ超高周波数域送信信号を端子７ｅ経由でＲＦＩＣ１０１から受け取って増幅し、増幅後のＬＴＥ超高周波数域送信信号をマルチプレクサ７３内のハイパスフィルタに出力する。
【０１９３】
５ＧＮＲ信号及びＬＴＥ超高周波数域信号送受信回路７２は、５ＧＮＲの４．５ＧＨｚから４．９９ＧＨｚの受信信号をマルチプレクサ７３内のハイパスフィルタから受け取って増幅し、増幅後の５ＧＮＲの４．５ＧＨｚから４．９９ＧＨｚの受信信号を端子７ｆ経由でＲＦＩＣ１０２に出力する。
【０１９４】
５ＧＮＲ信号及びＬＴＥ超高周波数域信号送受信回路７２は、ＬＴＥ超高周波数域受信信号をマルチプレクサ７３内のハイパスフィルタから受け取って増幅し、増幅後のＬＴＥ超高周波数域受信信号を端子７ｇ経由でＲＦＩＣ１０１に出力する。
【０１９５】
なお、ＬＴＥ中周波数域信号受信回路７１と、５ＧＮＲ信号及びＬＴＥ超高周波数域信号送受信回路７２と、の間は、アイソレーションされていることが好ましい。ＬＴＥのバンド２１、３又は１の信号の２倍高調波の周波数と、５ＧＮＲ又はＬＴＥ超高周波数域の信号の周波数と、が近いので、５ＧＮＲ信号及びＬＴＥ超高周波数域信号送受信回路７２がＬＴＥのバンド２１、３又は１の信号の２倍高調波の影響を受けてしまう可能性があるからである。
【０１９６】
以上説明したように、第２回路３、第４回路５、第５回路６及び第６回路７の各々は、５ＧＮＲ信号及びＬＴＥ超高周波数域信号を送受信できる。つまり、高周波信号送受信回路１は、５ＧＮＲ及びＬＴＥ超高周波数域の、４×４ＭＩＭＯ通信（Multiple-Input  and  Multiple-Output：複数入力複数出力通信）を実現できる。これにより、高周波信号送受信回路１は、５ＧＮＲ及びＬＴＥ超高周波数域の通信品質及び通信速度を向上できる。
【０１９７】
また、５ＧＮＲ信号及びＬＴＥ超高周波数域信号送受信回路３１、５３、６２及び７２では、パワーアンプ３１ｃが、５ＧＮＲの３．５ＧＨｚ域及びＬＴＥ超高周波数域の送信信号の増幅に共用される。また、ローノイズアンプ３１ｊが、５ＧＮＲの３．５ＧＨｚ域及びＬＴＥ超高周波数域の受信信号の増幅に共用される。これにより、高周波信号送受信回路１は、回路の小型化、低コスト化を図ることができる。
【０１９８】
また、高周波信号送受信回路１は、既存のＬＴＥ用のフロントエンド回路へ追加する回路要素数を抑制できる。これにより、高周波信号送受信回路１は、回路の小型化、低コスト化を図ることができる。
【０１９９】
また、高周波信号送受信回路１は、第１アンテナ１１から第６アンテナ１６の６本という少ないアンテナで、ＬＴＥ、ＷｉＦｉ、５ＧＮＲ及びＬＴＥ超高周波数域の通信を実現できる。これにより、高周波信号送受信回路１は、移動体通信装置の小型化、低コスト化を図ることができる。
【０２００】
また、第２回路３は、マルチプレクサを介さずに、第２アンテナ端子１２ａと直接接続されている。従って、第２回路３は、５ＧＮＲ及びＬＴＥ超高周波数域の信号の減衰を抑制できる。これにより、高周波信号送受信回路１は、５ＧＮＲ及びＬＴＥ超高周波数域の通信品質を向上できる。
【０２０１】
（第１変形例）
図９は、第１の実施の形態の第１変形例の高周波信号送受信回路の第４回路の構成を示す図である。図１０は、第１の実施の形態の第１変形例の高周波信号送受信回路の第５回路の構成を示す図である。なお、第１変形例の高周波信号送受信回路の第１回路から第３回路及び第６回路は、実施の形態の高周波信号送受信回路１の第１回路２から第３回路４及び第６回路７と同じであるので、図示及び説明を省略する。
【０２０２】
図９を参照すると、第４回路５Ａは、ｅＬＡＡ信号及びＷｉＦｉ５ＧＨｚ域信号送受信回路５４（図６参照）に代えて、ｅＬＡＡ信号及びＷｉＦｉ５ＧＨｚ域信号送受信回路５４Ａを含む。ｅＬＡＡ信号及びＷｉＦｉ５ＧＨｚ域信号送受信回路５４Ａは、ｅＬＡＡ信号及びＷｉＦｉ５ＧＨｚ域信号送受信回路５４と比較して、スイッチ５４ｇを更に含む。
【０２０３】
スイッチ５４ｇは、シングルポートデュアルスローのスイッチである。
【０２０４】
ｅＬＡＡの信号受信の際、スイッチ５４ｄは、バンドパスフィルタ５４ｅとローノイズアンプ５４ｆとの間を電気的に接続する。スイッチ５４ｇは、ローノイズアンプ５４ｆと端子５ｌとの間を電気的に接続する。バンドパスフィルタ５４ｅは、マルチプレクサ５５内のハイパスフィルタから受け取ったｅＬＡＡの受信信号を帯域通過させて、スイッチ５４ｄ経由でローノイズアンプ５４ｆに出力する。ローノイズアンプ５４ｆは、ｅＬＡＡの受信信号を増幅し、増幅後のｅＬＡＡの受信信号をスイッチ５４ｇ及び端子５ｌ経由でＲＦＩＣ１０１に出力する。
【０２０５】
ＷｉＦｉの５ＧＨｚ域の信号受信の際、スイッチ５４ｄは、バンドパスフィルタ５４ｅとローノイズアンプ５４ｆとの間を電気的に接続する。スイッチ５４ｇは、ローノイズアンプ５４ｆと端子５ｍとの間を電気的に接続する。バンドパスフィルタ５４ｅは、マルチプレクサ５５内のハイパスフィルタから受け取ったＷｉＦｉの５ＧＨｚ域の受信信号を帯域通過させて、スイッチ５４ｄ経由でローノイズアンプ５４ｆに出力する。ローノイズアンプ５４ｆは、ＷｉＦｉの５ＧＨｚ域の受信信号を増幅し、増幅後のＷｉＦｉの５ＧＨｚ域の受信信号を端子５ｍ経由でＲＦＩＣ１０３に出力する。
【０２０６】
図１０を参照すると、第５回路６Ａは、ｅＬＡＡ信号及びＷｉＦｉ５ＧＨｚ域信号送受信回路６３（図７参照）に代えて、ｅＬＡＡ信号及びＷｉＦｉ５ＧＨｚ域信号送受信回路６３Ａを含む。ｅＬＡＡ信号及びＷｉＦｉ５ＧＨｚ域信号送受信回路６３Ａは、ｅＬＡＡ信号及びＷｉＦｉ５ＧＨｚ域信号送受信回路６３と比較して、スイッチ５４ｇを更に含む。
【０２０７】
ｅＬＡＡ信号及びＷｉＦｉ５ＧＨｚ域信号送受信回路６３Ａの動作は、ｅＬＡＡ信号及びＷｉＦｉ５ＧＨｚ域信号送受信回路５４Ａの動作と同じであるので、説明を省略する。
【０２０８】
第１の実施の形態のｅＬＡＡ信号及びＷｉＦｉ５ＧＨｚ域信号送受信回路５４では、端子５ｌ及び５ｍの両方から、ｅＬＡＡの受信信号及びＷｉＦｉ５ＧＨｚ域の受信信号が出力される。従って、ｅＬＡＡの信号受信及びＷｉＦｉ５ＧＨｚ域の信号受信の両方を行う場合には、ＲＦＩＣ１０１及び１０３がｅＬＡＡの受信信号とＷｉＦｉ５ＧＨｚ域の受信信号とを分離する必要がある。
【０２０９】
一方、第１変形例のｅＬＡＡ信号及びＷｉＦｉ５ＧＨｚ域信号送受信回路５４Ａでは、スイッチ５４ｇが、ｅＬＡＡの受信信号と、ＷｉＦｉの５ＧＨｚ域の受信信号と、を分離できる。従って、端子５ｌからは、ｅＬＡＡの受信信号だけが出力され、端子５ｍからは、ＷｉＦｉの５ＧＨｚ域の受信信号だけが出力される。これにより、ｅＬＡＡ信号及びＷｉＦｉ５ＧＨｚ域信号送受信回路５４Ａは、ＲＦＩＣ１０１及び１０３がｅＬＡＡの受信信号とＷｉＦｉ５ＧＨｚ域の受信信号とを分離することを不要にできる。
【０２１０】
（第２変形例）
図１１は、第１の実施の形態の第２変形例の高周波信号送受信回路の第４回路の構成を示す図である。なお、第２変形例の高周波信号送受信回路の第１回路から第３回路及び第５回路から第６回路は、実施の形態の高周波信号送受信回路１の第１回路２から第３回路４及び第５回路６から第６回路７と同じであるので、図示及び説明を省略する。
【０２１１】
図１１を参照すると、ＬＴＥ高周波数域信号及びＷｉＦｉ２．４ＧＨｚ域信号送受信回路５２は、ＷｉＦｉ２．４ＧＨｚ域信号送受信回路５２１と、ＬＴＥ高周波数域信号送受信回路５２２と、に分けられている。
【０２１２】
ＷｉＦｉ２．４ＧＨｚ域信号送受信回路５２１は、パワーアンプ５２ａと、スイッチ５２ｂと、ローノイズアンプ５２ｄと、を含む。ＬＴＥ高周波数域信号送受信回路５２２は、マルチプレクサ５２ｃと、パワーアンプ５２ｅと、スイッチ５２ｆと、バンドパスフィルタ５２ｇと、スイッチ５２ｈと、マルチプレクサ５２ｉと、スイッチ５２ｊと、ローノイズアンプ５２ｋと、を含む。
【０２１３】
ＷｉＦｉ２．４ＧＨｚ域信号送受信回路５２１及びＬＴＥ高周波数域信号送受信回路５２２は、１個のモジュールとするが、本開示はこれに限定されない。ＷｉＦｉ２．４ＧＨｚ域信号送受信回路５２１及びＬＴＥ高周波数域信号送受信回路５２２は、それぞれ別個のモジュールであっても良い。
【０２１４】
第４回路５Ｂは、ｅＬＡＡ信号及びＷｉＦｉ５ＧＨｚ域信号送受信回路５４（図６参照）に代えて、ｅＬＡＡ信号及びＷｉＦｉ５ＧＨｚ域信号送受信回路５４Ｂを含む。
【０２１５】
ｅＬＡＡ信号及びＷｉＦｉ５ＧＨｚ域信号送受信回路５４Ｂは、モジュールであっても良い。
【０２１６】
ｅＬＡＡ信号及びＷｉＦｉ５ＧＨｚ域信号送受信回路５４Ｂは、ｅＬＡＡ信号及びＷｉＦｉ５ＧＨｚ域信号送受信回路５４と比較して、パワーアンプ５４ａ、スイッチ５４ｂ、パワーアンプ５４ｃ及びスイッチ５４ｄに代えて、パワーアンプ５４ｈ、パワーアンプ５４ｉ及びスイッチ５４ｊを含む。
【０２１７】
スイッチ５４ｊは、シングルポートトリプルスローのスイッチである。
【０２１８】
ｅＬＡＡの信号送信の際、スイッチ５４ｊは、パワーアンプ５４ｈとバンドパスフィルタ５４ｅとの間を電気的に接続する。パワーアンプ５４ｈは、ｅＬＡＡの送信信号を端子５ｊ経由でＲＦＩＣ１０１から受け取って増幅し、増幅後のｅＬＡＡの送信信号をスイッチ５４ｊ経由でバンドパスフィルタ５４ｅに出力する。バンドパスフィルタ５４ｅは、パワーアンプ５４ｈで増幅後のｅＬＡＡの送信信号を帯域通過させて、マルチプレクサ５５内のハイパスフィルタに出力する。
【０２１９】
ＷｉＦｉの５ＧＨｚ域の信号送信の際、スイッチ５４ｊは、パワーアンプ５４ｉとバンドパスフィルタ５４ｅとの間を電気的に接続する。パワーアンプ５４ｉは、ＷｉＦｉの５ＧＨｚ域の送信信号を端子５ｋ経由でＲＦＩＣ１０３から受け取って増幅し、増幅後のＷｉＦｉの５ＧＨｚ域の送信信号をスイッチ５４ｊ経由でバンドパスフィルタ５４ｅに出力する。バンドパスフィルタ５４ｅは、パワーアンプ５４ｉで増幅後のＷｉＦｉの５ＧＨｚ域の送信信号を帯域通過させて、マルチプレクサ５５内のハイパスフィルタに出力する。
【０２２０】
ｅＬＡＡの信号受信又はＷｉＦｉの５ＧＨｚ域の信号受信の際、スイッチ５４ｊは、バンドパスフィルタ５４ｅとローノイズアンプ５４ｆとの間を電気的に接続する。バンドパスフィルタ５４ｅは、マルチプレクサ５５内のハイパスフィルタから受け取ったｅＬＡＡの受信信号又はＷｉＦｉの５ＧＨｚ域の受信信号を帯域通過させて、スイッチ５４ｊ経由でローノイズアンプ５４ｆに出力する。ローノイズアンプ５４ｆは、ｅＬＡＡの受信信号を増幅し、増幅後のｅＬＡＡの受信信号を端子５ｌ経由でＲＦＩＣ１０１に出力する。また、ローノイズアンプ５４ｆは、ＷｉＦｉの５ＧＨｚ域の受信信号を増幅し、増幅後のＷｉＦｉの５ＧＨｚ域の受信信号を端子５ｍ経由でＲＦＩＣ１０３に出力する。
【０２２１】
第１の実施の形態の第４回路５では、パワーアンプ５４ｃが、ｅＬＡＡの送信信号及びＷｉＦｉ５ＧＨｚ域の送信信号の増幅に共用されている。従って、第４回路５は、ｅＬＡＡの送信信号及びＷｉＦｉ５ＧＨｚ域の送信信号の増幅を好適に行えない可能性がある。
【０２２２】
一方、第２変形例の第４回路５Ｂでは、パワーアンプ５４ｈが、ｅＬＡＡの送信信号を増幅し、パワーアンプ５４ｉが、ＷｉＦｉ５ＧＨｚ域の送信信号を増幅する。従って、第４回路５Ｂは、ｅＬＡＡの送信信号及びＷｉＦｉ５ＧＨｚ域の送信信号の増幅を好適に行うことができる。
【０２２３】
なお、第５回路６内のｅＬＡＡ信号及びＷｉＦｉ５ＧＨｚ域信号送受信回路６３の回路構成も、第４回路５Ｂ内のｅＬＡＡ信号及びＷｉＦｉ５ＧＨｚ域信号送受信回路５４Ｂと同様の回路構成としても良い。
【０２２４】
また、第１変形例と第２変形例とを組み合わせても良い。即ち、第２変形例の第４回路５ＢのｅＬＡＡ信号及びＷｉＦｉ５ＧＨｚ域信号送受信回路５４Ｂが、第１変形例の第４回路５Ａ（図９参照）のｅＬＡＡ信号及びＷｉＦｉ５ＧＨｚ域信号送受信回路５４Ａ内のスイッチ５４ｇを含んでも良い。
【０２２５】
また、第２変形例の第４回路５ＢがＧＰＳ信号受信回路５１を含まず、第５回路６がＧＰＳ信号受信回路５１を含んでも良い。
【０２２６】
（第３変形例）
図１２は、第１の実施の形態の第３変形例の高周波信号送受信回路の第４回路の構成を示す図である。なお、第３変形例の高周波信号送受信回路の第１回路から第３回路及び第５回路から第６回路は、実施の形態の高周波信号送受信回路１の第１回路２から第３回路４及び第５回路６から第６回路７と同じであるので、図示及び説明を省略する。
【０２２７】
図１２を参照すると、第４回路５Ｃは、５ＧＮＲ信号及びＬＴＥ超高周波数域信号送受信回路５３（図６参照）に代えて、５ＧＮＲ信号及びＬＴＥ超高周波数域信号送受信回路５３Ｃを含む。また、第４回路５Ｃは、ｅＬＡＡ信号及びＷｉＦｉ５ＧＨｚ域信号送受信回路５４（図６参照）に代えて、ｅＬＡＡ信号及びＷｉＦｉ５ＧＨｚ域信号送受信回路５４Ｃを含む。
【０２２８】
５ＧＮＲ信号及びＬＴＥ超高周波数域信号送受信回路５３Ｃ、並びに、ｅＬＡＡ信号及びＷｉＦｉ５ＧＨｚ域信号送受信回路５４Ｃは、１個のモジュールとするが、本開示はこれに限定されない。５ＧＮＲ信号及びＬＴＥ超高周波数域信号送受信回路５３Ｃ、並びに、ｅＬＡＡ信号及びＷｉＦｉ５ＧＨｚ域信号送受信回路５４Ｃは、それぞれ別個のモジュールであっても良い。
【０２２９】
５ＧＮＲ信号及びＬＴＥ超高周波数域信号送受信回路５３Ｃは、５ＧＮＲ信号及びＬＴＥ超高周波数域信号送受信回路５３と比較して、パワーアンプ３１ｌを更に含む。
【０２３０】
ｅＬＡＡ信号及びＷｉＦｉ５ＧＨｚ域信号送受信回路５４Ｃは、ｅＬＡＡ信号及びＷｉＦｉ５ＧＨｚ域信号送受信回路５４と比較して、パワーアンプ５４ａ、スイッチ５４ｂ、パワーアンプ５４ｃ及びスイッチ５４ｄに代えて、パワーアンプ５４ｉ及びスイッチ５４ｊを含む。
【０２３１】
ｅＬＡＡの信号送信の際、スイッチ５４ｊは、パワーアンプ３１ｌとバンドパスフィルタ５４ｅとの間を電気的に接続する。パワーアンプ３１ｌは、ｅＬＡＡの送信信号を端子５ｊ経由でＲＦＩＣ１０１から受け取って増幅し、増幅後のｅＬＡＡの送信信号をスイッチ５４ｊ経由でバンドパスフィルタ５４ｅに出力する。バンドパスフィルタ５４ｅは、パワーアンプ３１ｌで増幅後のｅＬＡＡの送信信号を帯域通過させて、マルチプレクサ５５内のハイパスフィルタに出力する。
【０２３２】
ＷｉＦｉの５ＧＨｚ域の信号送信の際、スイッチ５４ｊは、パワーアンプ５４ｉとバンドパスフィルタ５４ｅとの間を電気的に接続する。パワーアンプ５４ｉは、ＷｉＦｉの５ＧＨｚ域の送信信号を端子５ｋ経由でＲＦＩＣ１０３から受け取って増幅し、増幅後のＷｉＦｉの５ＧＨｚ域の送信信号をスイッチ５４ｊ経由でバンドパスフィルタ５４ｅに出力する。バンドパスフィルタ５４ｅは、パワーアンプ５４ｉで増幅後のＷｉＦｉの５ＧＨｚ域の送信信号を帯域通過させて、マルチプレクサ５５内のハイパスフィルタに出力する。
【０２３３】
ｅＬＡＡの信号受信又はＷｉＦｉの５ＧＨｚ域の信号受信の際、スイッチ５４ｊは、バンドパスフィルタ５４ｅとローノイズアンプ５４ｆとの間を電気的に接続する。バンドパスフィルタ５４ｅは、マルチプレクサ５５内のハイパスフィルタから受け取ったｅＬＡＡの受信信号又はＷｉＦｉの５ＧＨｚ域の受信信号を帯域通過させて、スイッチ５４ｊ経由でローノイズアンプ５４ｆに出力する。ローノイズアンプ５４ｆは、ｅＬＡＡの受信信号を増幅し、増幅後のｅＬＡＡの受信信号を端子５ｌ経由でＲＦＩＣ１０１に出力する。また、ローノイズアンプ５４ｆは、ＷｉＦｉの５ＧＨｚ域の受信信号を増幅し、増幅後のＷｉＦｉの５ＧＨｚ域の受信信号を端子５ｍ経由でＲＦＩＣ１０３に出力する。
【０２３４】
第１の実施の形態の第４回路５では、パワーアンプ５４ｃが、ｅＬＡＡの送信信号及びＷｉＦｉ５ＧＨｚ域の送信信号の増幅に共用されている。従って、第４回路５は、ｅＬＡＡの送信信号及びＷｉＦｉ５ＧＨｚ域の送信信号の増幅を好適に行えない可能性がある。
【０２３５】
一方、第３変形例の第４回路５Ｃでは、パワーアンプ３１ｌが、ｅＬＡＡの送信信号を増幅し、パワーアンプ５４ｉが、ＷｉＦｉ５ＧＨｚ域の送信信号を増幅する。従って、第４回路５Ｃは、ｅＬＡＡの送信信号及びＷｉＦｉ５ＧＨｚ域の送信信号の増幅を好適に行うことができる。
【０２３６】
なお、第５回路６内の５ＧＮＲ信号及びＬＴＥ超高周波数域信号送受信回路６２の回路構成も、第４回路５Ｃ内の５ＧＮＲ信号及びＬＴＥ超高周波数域信号送受信回路５３Ｃと同様の回路構成としても良い。同様に、第５回路６内のｅＬＡＡ信号及びＷｉＦｉ５ＧＨｚ域信号送受信回路６３の回路構成も、第４回路５Ｃ内のｅＬＡＡ信号及びＷｉＦｉ５ＧＨｚ域信号送受信回路５４Ｃと同様の回路構成としても良い。
【０２３７】
また、第１変形例と第３変形例とを組み合わせても良い。即ち、第３変形例の第４回路５ＣのｅＬＡＡ信号及びＷｉＦｉ５ＧＨｚ域信号送受信回路５４Ｃが、第１変形例の第４回路５Ａ（図９参照）のｅＬＡＡ信号及びＷｉＦｉ５ＧＨｚ域信号送受信回路５４Ａ内のスイッチ５４ｇを含んでも良い。
【０２３８】
また、第３変形例の第４回路５ＣがＧＰＳ信号受信回路５１を含まず、第５回路６がＧＰＳ信号受信回路５１を含んでも良い。
【０２３９】
（第４変形例）
図１３は、第１の実施の形態の第４変形例の高周波信号送受信回路の第４回路の構成を示す図である。なお、第４変形例の高周波信号送受信回路の第１回路から第３回路及び第５回路から第６回路は、実施の形態の高周波信号送受信回路１の第１回路２から第３回路４及び第５回路６から第６回路７と同じであるので、図示及び説明を省略する。
【０２４０】
図１３を参照すると、第４回路５Ｄは、ｅＬＡＡ信号及びＷｉＦｉ５ＧＨｚ域信号送受信回路５４（図６参照）に代えて、ｅＬＡＡ信号及びＷｉＦｉ５ＧＨｚ域信号送受信回路５４Ｄを含む。また、第４回路５Ｄは、ｅＬＡＡ送信信号増幅回路５６を更に含む。
【０２４１】
ｅＬＡＡ信号及びＷｉＦｉ５ＧＨｚ域信号送受信回路５４Ｄ、並びに、ｅＬＡＡ送信信号増幅回路５６は、１個のモジュールとするが、本開示はこれに限定されない。ｅＬＡＡ信号及びＷｉＦｉ５ＧＨｚ域信号送受信回路５４Ｄ、並びに、ｅＬＡＡ送信信号増幅回路５６は、それぞれ別個のモジュールであっても良い。
【０２４２】
ｅＬＡＡ信号及びＷｉＦｉ５ＧＨｚ域信号送受信回路５４Ｄは、ｅＬＡＡ信号及びＷｉＦｉ５ＧＨｚ域信号送受信回路５４と比較して、パワーアンプ５４ａ、スイッチ５４ｂ、パワーアンプ５４ｃ及びスイッチ５４ｄに代えて、パワーアンプ５４ｉ及びスイッチ５４ｊを含む。
【０２４３】
ｅＬＡＡ送信信号増幅回路５６は、パワーアンプ５６ａを含む。
【０２４４】
ｅＬＡＡの信号送信の際、スイッチ５４ｊは、パワーアンプ５６ａとバンドパスフィルタ５４ｅとの間を電気的に接続する。パワーアンプ５６ａは、ｅＬＡＡの送信信号を端子５ｊ経由でＲＦＩＣ１０１から受け取って増幅し、増幅後のｅＬＡＡの送信信号をスイッチ５４ｊ経由でバンドパスフィルタ５４ｅに出力する。バンドパスフィルタ５４ｅは、パワーアンプ５６ａで増幅後のｅＬＡＡの送信信号を帯域通過させて、マルチプレクサ５５内のハイパスフィルタに出力する。
【０２４５】
ＷｉＦｉの５ＧＨｚ域の信号送信の際、スイッチ５４ｊは、パワーアンプ５４ｉとバンドパスフィルタ５４ｅとの間を電気的に接続する。パワーアンプ５４ｉは、ＷｉＦｉの５ＧＨｚ域の送信信号を端子５ｋ経由でＲＦＩＣ１０３から受け取って増幅し、増幅後のＷｉＦｉの５ＧＨｚ域の送信信号をスイッチ５４ｊ経由でバンドパスフィルタ５４ｅに出力する。バンドパスフィルタ５４ｅは、パワーアンプ５４ｉで増幅後のＷｉＦｉの５ＧＨｚ域の送信信号を帯域通過させて、マルチプレクサ５５内のハイパスフィルタに出力する。
【０２４６】
ｅＬＡＡの信号受信又はＷｉＦｉの５ＧＨｚ域の信号受信の際、スイッチ５４ｊは、バンドパスフィルタ５４ｅとローノイズアンプ５４ｆとの間を電気的に接続する。バンドパスフィルタ５４ｅは、マルチプレクサ５５内のハイパスフィルタから受け取ったｅＬＡＡの受信信号又はＷｉＦｉの５ＧＨｚ域の受信信号を帯域通過させて、スイッチ５４ｊ経由でローノイズアンプ５４ｆに出力する。ローノイズアンプ５４ｆは、ｅＬＡＡの受信信号を増幅し、増幅後のｅＬＡＡの受信信号を端子５ｌ経由でＲＦＩＣ１０１に出力する。また、ローノイズアンプ５４ｆは、ＷｉＦｉの５ＧＨｚ域の受信信号を増幅し、増幅後のＷｉＦｉの５ＧＨｚ域の受信信号を端子５ｍ経由でＲＦＩＣ１０３に出力する。
【０２４７】
第１の実施の形態の第４回路５では、パワーアンプ５４ｃが、ｅＬＡＡの送信信号及びＷｉＦｉ５ＧＨｚ域の送信信号の増幅に共用されている。従って、第４回路５は、ｅＬＡＡの送信信号及びＷｉＦｉ５ＧＨｚ域の送信信号の増幅を好適に行えない可能性がある。
【０２４８】
一方、第４変形例の第４回路５Ｄでは、パワーアンプ５６ａが、ｅＬＡＡの送信信号を増幅し、パワーアンプ５４ｉが、ＷｉＦｉ５ＧＨｚ域の送信信号を増幅する。従って、第４回路５Ｄは、ｅＬＡＡの送信信号及びＷｉＦｉ５ＧＨｚ域の送信信号の増幅を好適に行うことができる。
【０２４９】
なお、第５回路６内のｅＬＡＡ信号及びＷｉＦｉ５ＧＨｚ域信号送受信回路６３の回路構成も、第４回路５Ｄ内のｅＬＡＡ信号及びＷｉＦｉ５ＧＨｚ域信号送受信回路５４Ｄと同様の回路構成としても良い。同様に、第５回路６が、第４回路５Ｄ内のｅＬＡＡ送信信号増幅回路５６を更に含んでも良い。
【０２５０】
また、第１変形例と第４変形例とを組み合わせても良い。即ち、第４変形例の第４回路５ＤのｅＬＡＡ信号及びＷｉＦｉ５ＧＨｚ域信号送受信回路５４Ｄが、第１変形例の第４回路５Ａ（図９参照）のｅＬＡＡ信号及びＷｉＦｉ５ＧＨｚ域信号送受信回路５４Ａ内のスイッチ５４ｇを含んでも良い。
【０２５１】
また、第４変形例の第４回路５ＤがＧＰＳ信号受信回路５１を含まず、第５回路６がＧＰＳ信号受信回路５１を含んでも良い。
【０２５２】
本開示では、５ＧＮＲでの４×４ＭＩＭＯの構成を記載しているが、５ＧＮＲでの２×２ＭＩＭＯの場合は、５ＧＮＲに対応した回路の４つのうちのいずれか２つの回路構成を削除しても可能である。
【０２５３】
（第２の実施の形態）
図１４は、第２の実施の形態の高周波信号送受信回路の構成を示す図である。第２の実施の形態において、第１の実施の形態及び第１から第４変型例と同様の構成要素については、同一の参照符号を付して、説明を省略する。
【０２５４】
高周波信号送受信回路１Ｅは、第１回路２に代えて、第１回路２Ｅを含む。
【０２５５】
第１回路２Ｅは、ＬＴＥ低周波数域信号送受信回路２１と、ＬＴＥ中周波数域信号送受信回路２２と、マルチプレクサ２４Ｅと、を含む。第１回路２Ｅは、第１回路２と比較して、ＬＴＥ高周波数域信号送受信回路２３を含んでいない。
【０２５６】
マルチプレクサ２４Ｅは、１対２のダイプレクサである。マルチプレクサ２４Ｅは、第１アンテナ端子１１ａと、ＬＴＥ低周波数域信号送受信回路２１及びＬＴＥ中周波数域信号送受信回路２２と、の間を電気的に接続する。
【０２５７】
マルチプレクサ２４Ｅは、ローパスフィルタと、ハイパスフィルタと、を含む。ローパスフィルタは、ＬＴＥ低周波数域信号を通過させる。ハイパスフィルタは、ＬＴＥ中周波数域信号を通過させる。
【０２５８】
高周波信号送受信回路１Ｅは、第２回路３を含む。
【０２５９】
高周波信号送受信回路１Ｅは、第３回路４に代えて、第３回路４Ｅを含む。
【０２６０】
第３回路４Ｅは、ＬＴＥ低周波数域信号受信回路４１と、ＬＴＥ中高周波数域信号受信回路４２Ｅと、マルチプレクサ４３と、を含む。
【０２６１】
高周波信号送受信回路１Ｅは、第４回路５に代えて、第４回路５Ｅを含む。
【０２６２】
第４回路５Ｅは、ＷｉＦｉ２．４ＧＨｚ域信号送受信回路５２Ｅと、５ＧＮＲ信号及びＬＴＥ超高周波数域信号送受信回路５３と、マルチプレクサ５５Ｅと、を含む。第４回路５Ｅは、第４回路５と比較して、ｅＬＡＡ信号及びＷｉＦｉ５ＧＨｚ域信号送受信回路５４を含んでいない。
【０２６３】
マルチプレクサ５５Ｅは、１対２のダイプレクサである。マルチプレクサ５５Ｅは、第４アンテナ端子１４ａと、ＷｉＦｉ２．４ＧＨｚ域信号送受信回路５２Ｅ、並びに、５ＧＮＲ信号及びＬＴＥ超高周波数域信号送受信回路５３と、の間を電気的に接続する。
【０２６４】
マルチプレクサ５５Ｅは、ローパスフィルタと、ハイパスフィルタと、を含む。ローパスフィルタは、ＷｉＦｉ２．４ＧＨｚ域信号を通過させる。ハイパスフィルタは、５ＧＮＲ信号及びＬＴＥ超高周波数域信号を通過させる。
【０２６５】
高周波信号送受信回路１Ｅは、第５回路６に代えて、第５回路６Ｅを含む。
【０２６６】
第５回路６Ｅは、５ＧＮＲ信号及びＬＴＥ超高周波数域信号送受信回路６２と、ｅＬＡＡ信号及びＷｉＦｉ５ＧＨｚ域信号送受信回路６３と、マルチプレクサ６４Ｅと、を含む。第５回路６Ｅは、第５回路６と比較して、ＬＴＥ中高周波数域信号受信回路６１を含んでいない。
【０２６７】
マルチプレクサ６４Ｅは、１対２のダイプレクサである。マルチプレクサ６４Ｅは、第５アンテナ端子１５ａと、５ＧＮＲ信号及びＬＴＥ超高周波数域信号送受信回路６２、並びに、ｅＬＡＡ信号及びＷｉＦｉ５ＧＨｚ域信号送受信回路６３と、の間を電気的に接続する。
【０２６８】
マルチプレクサ６４Ｅは、ローパスフィルタと、ハイパスフィルタと、を含む。ローパスフィルタは、５ＧＮＲ信号及びＬＴＥ超高周波数域信号を通過させる。ハイパスフィルタは、ｅＬＡＡ信号及びＷｉＦｉ５ＧＨｚ域信号を通過させる。
【０２６９】
高周波信号送受信回路１Ｅは、第６回路７を含む。
【０２７０】
図１５は、第２の実施の形態の高周波信号送受信回路の第３回路の構成を示す図である。
【０２７１】
ＬＴＥ中高周波数域信号受信回路４２Ｅは、ＬＴＥ中高周波数域信号受信及びＷｉＦｉ２．４ＧＨｚ域信号送受信回路４２と比較して、ローノイズアンプ４２ｊ、スイッチ４２ｅ及び４２ｉ、並びに、パワーアンプ４２ｈを含んでいない。そして、ローノイズアンプ４２ｆは、マルチプレクサ４２ａに電気的に接続されている。
【０２７２】
図１６は、第２の実施の形態の高周波信号送受信回路の第４回路の構成を示す図である。
【０２７３】
ＷｉＦｉ２．４ＧＨｚ域信号送受信回路５２Ｅは、ＬＴＥ高周波数域信号及びＷｉＦｉ２．４ＧＨｚ域信号送受信回路５２と比較して、パワーアンプ５２ｅと、スイッチ５２ｆ、５２ｈ及び５２ｊと、マルチプレクサ５２ｃ及び５２ｉと、ローノイズアンプ５２ｋと、バンドパスフィルタ５２ｇと、を含んでいない。そして、スイッチ５２ｂは、マルチプレクサ５５Ｅと電気的に接続されている。
【０２７４】
第２の実施の形態の高周波信号送受信回路１Ｅは、第１の実施の形態の高周波信号送受信回路１と同様の効果を奏する。
【０２７５】
なお、上記した実施の形態は、本発明の理解を容易にするためのものであり、本発明を限定して解釈するためのものではない。本発明は、その趣旨を逸脱することなく、変更／改良され得るとともに、本発明にはその等価物も含まれる。
【符号の説明】
【０２７６】
１、１Ｅ  高周波信号送受信回路
２、２Ｅ  第１回路
３  第２回路
４、４Ｅ  第３回路
５、５Ａ、５Ｂ、５Ｃ、５Ｄ、５Ｅ  第４回路
６、６Ａ、６Ｅ  第５回路
７  第６回路
１１  第１アンテナ
１２  第２アンテナ
１３  第３アンテナ
１４  第４アンテナ
１５  第５アンテナ
１６  第６アンテナ
１１ａ  第１アンテナ端子
１２ａ  第２アンテナ端子
１３ａ  第３アンテナ端子
１４ａ  第４アンテナ端子
１５ａ  第５アンテナ端子
１６ａ  第６アンテナ端子
２１  ＬＴＥ低周波数域信号送受信回路
２２  ＬＴＥ中周波数域信号送受信回路
２３  ＬＴＥ高周波数域信号送受信回路
２４、４３、５５、６４、７３  マルチプレクサ
３１  ５ＧＮＲ信号及びＬＴＥ超高周波数域信号送受信回路
４１  ＬＴＥ低周波数域信号受信回路
４２  ＬＴＥ中高周波数域信号受信及びＷｉＦｉ２．４ＧＨｚ域信号送受信回路
４２Ｅ  ＬＴＥ中高周波数域信号受信回路
５１  ＧＰＳ信号受信回路
５２  ＬＴＥ高周波数域信号及びＷｉＦｉ２．４ＧＨｚ域信号送受信回路
５２Ｅ  ＷｉＦｉ２．４ＧＨｚ域信号送受信回路
５３  ５ＧＮＲ信号及びＬＴＥ超高周波数域信号送受信回路
５４、５４Ａ、５４Ｂ、５４Ｃ、５４Ｄ  ｅＬＡＡ信号及びＷｉＦｉ５ＧＨｚ域信号送受信回路
５６  ｅＬＡＡ送信信号増幅回路
６１  ＬＴＥ中高周波数域信号受信回路
６２  ５ＧＮＲ信号及びＬＴＥ超高周波数域信号送受信回路
６３  ｅＬＡＡ信号及びＷｉＦｉ５ＧＨｚ域信号送受信回路
７１  ＬＴＥ中周波数域信号受信回路
７２  ５ＧＮＲ信号及びＬＴＥ超高周波数域信号送受信回路
１０１、１０２、１０３、１０４  高周波集積回路
【図１】
2019140670.tif 000003
【図２】
2019140670.tif 000004
【図３】
2019140670.tif 000005
【図４】
2019140670.tif 000006
【図５】
2019140670.tif 000007
【図６】
2019140670.tif 000008
【図７】
2019140670.tif 000009
【図８】
2019140670.tif 000010
【図９】
2019140670.tif 000011
【図１０】
2019140670.tif 000012
【図１１】
2019140670.tif 000013
【図１２】
2019140670.tif 000014
【図１３】
2019140670.tif 000015
【図１４】
2019140670.tif 000016
【図１５】
2019140670.tif 000017
【図１６】
2019140670.tif 000018